(57)【要約】【課題】遊技台の入替え時における作業負担を低減することができる遊技台情報提供システムおよび遊技台情報提供方法、ならびにこれらに用いられるリダイレクト装置を提供すること。【解決手段】この遊技台情報提供システムは、遊技台に関連して配置されたリーダライタ３と、リダイレクトサーバ１０３と、ウェブサーバ５とを含む。遊技者が、自己が所有する携帯電話機１１３を、その遊技している／遊技しようとしている遊技台１に対応付けられたリーダライタ３にかざすと、リーダライタ３から、携帯電話機１１３にリダイレクトサーバ１０３への接続指示が与えられる（２．接続指示）。リダイレクトサーバ１０３は、携帯電話機１１３の所有者が遊技している／遊技しようとしている遊技台の遊技台情報サイト（遊技台情報）のＵＲＬ（遊技台情報ＵＲＬ）を抽出するとともに、この遊技台情報ＵＲＬに付加情報を付加して、付加情報付ＵＲＬを作成する。【選択図】図８
2010274105.tif 000002
【特許請求の範囲】
【請求項１】
遊技店に設置される遊技台に関する所定の情報であり、当該遊技台の種別ごとに異なる遊技台情報を、表示部を有する携帯通信端末を介して提供する遊技台情報提供システムであって、
前記遊技台に１対１で対応付けて設けられ、対応する遊技台を特定するための特定情報が記録された記録部と、
通信回線を通して前記携帯通信端末と通信可能に設けられたリダイレクト装置と、
前記遊技台情報の表示情報である遊技台表示情報を記憶する遊技台表示情報記憶部を有し、通信回線を通して前記携帯通信端末と通信可能に設けられた情報提供制御装置とを含み、
前記記録部に記録された前記特定情報は、前記携帯通信端末の取得手段により取得可能な構成であり、前記携帯通信端末による前記特定情報の取得によって、当該携帯通信端末に対し、前記リダイレクト装置のインターネット上の位置を接続先として特定するための位置情報であるリダイレクト位置情報が与えられるようになっており、
前記リダイレクト装置が、
前記遊技台表示情報のインターネット上の位置を接続先として特定するための位置情報である表示情報位置情報を、当該遊技台位置情報に対応する遊技台種別の遊技台の特定情報に対応付けて記憶する位置情報記憶部と、
前記リダイレクト位置情報を接続先とする、前記特定情報を含む第１の接続要求の受信に応答して、前記位置情報記憶部に記憶された表示情報位置情報から、前記第１の接続要求に含まれる特定情報によって特定される遊技台の種別に応じた表示情報位置情報を選択する位置情報選択手段と、
前記位置情報選択手段により選択された表示情報位置情報を、前記携帯通信端末に送信する位置情報送信手段とを含み、
前記情報提供制御装置が、
前記位置情報送信手段から受信した前記表示情報位置情報を接続先とする第２の接続要求の受信に応答して、前記遊技台表示情報記憶部に記憶された前記遊技台表示情報のうち、当該表示情報位置情報により特定される遊技台表示情報を、前記携帯通信端末に送信する遊技台表示情報送信手段をさらに含む、遊技台情報提供システム。
【請求項２】
前記リダイレクト装置は、前記位置情報選択手段により選択された表示情報位置情報に、有効期限を含む付加情報を付加する付加情報付加手段をさらに含み、
前記位置情報送信手段は、前記付加情報付加手段によって付加情報が付加された位置情報を含む前記第２の接続要求を送信するものであり、
前記情報提供制御装置は、さらに、
前記第２の接続要求に含まれる位置情報から前記付加情報を取り出す付加情報取出手段と、
前記付加情報に含まれる有効期限内であるか否かを判別する有効期限判別手段とを含み、
前記表示情報送信手段は、前記有効期限判別手段により有効期限内であると判別された場合のみ前記遊技台表示情報を送信する、請求項１記載の情報提供システム。
【請求項３】
前記遊技台表示情報送信手段は、前記有効期限判別手段により有効期限を過ぎていると判別された場合に、前記遊技台表示情報以外の表示情報を前記携帯通信端末に送信する、請求項２記載の遊技台情報提供システム。
【請求項４】
前記付加情報手段が、暗号化された付加情報を前記表示情報位置情報に付加する手段を含む、請求項２または３に記載の遊技台情報提供システム。
【請求項５】
前記記録部が、前記特定情報を記憶する特定情報記憶部を有するリーダライタを含み、
前記携帯通信端末の前記取得手段が、当該携帯通信端末に内蔵され、前記リーダライタと非接触通信を行う非接触ＩＣを含む、請求項１〜４のいずれか一項に記載の遊技台情報提供システム。
【請求項６】
前記記録部が２次元コードを含み、
前記携帯通信端末の前記取得手段が、
前記２次元コードを撮像する撮像手段と、
前記撮像手段により撮像された画像を読み込む読込手段とを含む、請求項１〜４のいずれか一項に記載の遊技台情報提供システム。
【請求項７】
遊技店に設置される遊技台に関する所定の情報であり、当該遊技台の種別ごとに異なる遊技台情報を、表示部を有する携帯通信端末を介して提供する遊技台情報提供方法であって、
前記遊技台に１対1で対応付けられた記録部に記録された、対応する遊技台を特定するための特定情報を、前記携帯通信端末が取得するステップと、
前記特定情報を取得する前記携帯通信端末に対し、リダイレクト装置のインターネット上の位置を接続先として特定するための位置情報であるリダイレクト位置情報を付与するステップと、
前記リダイレクト位置情報を接続先とする、前記特定情報を含む第１の接続要求を前記リダイレクト装置に対して付与するステップと、
第１の接続要求の受信に応答して、リダイレクト装置が、遊技台位置情報に対応する遊技台種別の遊技台の特定情報に対応付けた状態で位置情報記憶部に記憶された、当該特定情報によって特定される遊技台の種別に応じた前記遊技台表示情報のインターネット上の位置を接続先として特定するための位置情報である表示情報位置情報から、前記第１の接続要求に含まれる特定情報によって特定される遊技台の種別に応じた前記表示情報位置情報を選択するステップと、
選択した表示情報位置情報を、前記携帯通信端末に送信するステップと、
前記表示情報位置情報を接続先とする第２の接続要求を、情報提供制御装置に対して付与するステップと、
第２の接続要求の受信に応答して、前記情報提供制御装置が、表示情報位置情報により特定される遊技台表示情報を、前記携帯通信端末に送信するステップとを含む、遊技台情報提供方法。
【請求項８】
遊技店に設置される遊技台に関する所定の情報であり、当該遊技台の種別ごとに異なる遊技台情報を、表示部を有する携帯通信端末を介して提供するための遊技台情報提供システムに用いられ、前記携帯通信端末と通信回線を通して通信可能に設けられたリダイレクト装置であって、
前記遊技台情報の表示情報である遊技台表示情報のインターネット上の位置を接続先として特定するための位置情報である表示情報位置情報を、当該遊技台位置情報に対応する遊技台種別の遊技台の特定情報に対応付けて記憶する位置情報記憶部と、
前記特定情報を含む接続要求の受信に応答して、前記位置情報記憶部に記憶された表示情報位置情報から、前記接続要求に含まれる特定情報によって特定される遊技台の種別に応じた表示情報位置情報を選択する位置情報選択手段と、
前記位置情報選択手段により選択された表示情報位置情報を、前記携帯通信端末に送信する位置情報送信手段とを含む、リダイレクト装置。
【請求項９】
遊技店に設置される遊技台に関する所定の情報であり、当該遊技台の種別ごとに異なる遊技台情報を、表示部を有する携帯通信端末を介して提供する遊技台情報提供システムであって、
前記遊技台に１対１で対応付けて設けられ、対応する遊技台を特定するための台番号が記録された記録部と、
通信回線を通して前記携帯通信端末と通信可能に設けられたリダイレクト装置と、
前記遊技台情報の表示情報である遊技台表示情報を記憶する遊技台表示情報記憶部を有し、通信回線を通して前記携帯通信端末と通信可能に設けられた情報提供制御装置とを含み、
前記記録部に記録された前記台番号は、前記携帯通信端末の取得手段により取得可能な構成であり、前記携帯通信端末による前記台番号の取得によって、当該携帯通信端末に対し、前記リダイレクト装置のインターネット上の位置を接続先として特定するための位置情報であるリダイレクト位置情報が与えられるようになっており、
前記リダイレクト装置が、
前記遊技台表示情報のインターネット上の位置を接続先として特定するための位置情報である表示情報位置情報を、当該遊技台位置情報に対応する遊技台種別の遊技台の台番号に対応付けて記憶する位置情報記憶部と、
前記リダイレクト位置情報を接続先とする、前記台番号を含む第１の接続要求の受信に応答して、前記位置情報記憶部に記憶された表示情報位置情報から、前記第１の接続要求に含まれる台番号によって特定される遊技台の種別に応じた表示情報位置情報を選択する位置情報選択手段と、
前記位置情報選択手段により選択された表示情報位置情報を、前記携帯通信端末に送信する位置情報送信手段とを含み、
前記情報提供制御装置が、
前記位置情報送信手段から受信した前記表示情報位置情報を接続先とする第２の接続要求の受信に応答して、前記遊技台表示情報記憶部に記憶された前記遊技台表示情報のうち、当該表示情報位置情報により特定される遊技台表示情報を、前記携帯通信端末に送信する遊技台表示情報送信手段をさらに含む、遊技台情報提供システム。
【請求項１０】
前記第２の接続要求には、前記取得手段により台番号を取得した日付に関する取得日情報および当該台番号が含まれており、
前記遊技台情報提供システムは、
遊技台が前記遊技店に納入された日付である納入日を、当該遊技台の台番号と対応付けて記憶する納入日記憶部と、
前記第２の接続要求に含まれる取得日情報の日付と、前記納入日記憶部に記憶された、前記第２の接続要求に含まれる台番号に対応する遊技台の納入日との先後を判別する先後判別手段と、
前記先後判別手段により、前記取得日情報の日付が前記納入日よりも先であると判別された場合、前記遊技台表示情報送信手段は、前記遊技台表示情報を前記携帯通信端末に送信しない、請求項９記載の遊技台情報提供システム。
【請求項１１】
前記納入日記憶部および前記先後判別手段は、前記リダイレクト装置に設けられている、請求項１０記載の情報提供システム。
【請求項１２】
前記記録部が、前記台番号を記憶する台番号記憶部を有するリーダライタを含み、
前記携帯通信端末の前記取得手段が、当該携帯通信端末に内蔵され、前記リーダライタと非接触通信を行う非接触ＩＣを含む、請求項９〜１１のいずれか一項に記載の遊技台情報提供システム。
【請求項１３】
前記記録部が２次元コードを含み、
前記携帯通信端末の前記取得手段が、
前記２次元コードを撮像する撮像手段と、前記撮像手段により撮像された画像を読み込む読込手段とを含む、請求項９〜１１のいずれか一項に記載の遊技台情報提供システム。
【請求項１４】
遊技店に設置される遊技台に関する所定の情報であり、当該遊技台の種別ごとに異なる遊技台情報を、表示部を有する携帯通信端末を介して提供する遊技台情報提供方法であって、
前記遊技台に１対1で対応付けられた記録部に記録された、対応する遊技台を特定するための台番号を、前記携帯通信端末が取得するステップと、
前記台番号を取得する前記携帯通信端末に対し、リダイレクト装置のインターネット上の位置を接続先として特定するための位置情報であるリダイレクト位置情報を付与するステップと、
前記リダイレクト位置情報を接続先とする、前記台番号を含む第１の接続要求を前記リダイレクト装置に対して付与するステップと、
第１の接続要求の受信に応答して、リダイレクト装置が、遊技台位置情報に対応する遊技台種別の遊技台の台番号に対応付けた状態で位置情報記憶部に記憶された、当該台番号によって特定される遊技台の種別に応じた前記遊技台表示情報のインターネット上の位置を接続先として特定するための位置情報である表示情報位置情報から、前記第１の接続要求に含まれる台番号によって特定される遊技台の種別に応じた前記表示情報位置情報を選択するステップと、
選択した表示情報位置情報を、前記携帯通信端末に送信するステップと、
前記表示情報位置情報を接続先とする第２の接続要求を、情報提供制御装置に対して付与するステップと、
第２の接続要求の受信に応答して、前記情報提供制御装置が、表示情報位置情報により特定される遊技台表示情報を、前記携帯通信端末に送信するステップとを含む、遊技台情報提供方法。
【請求項１５】
遊技店に設置される遊技台に関する所定の情報であり、当該遊技台の種別ごとに異なる遊技台情報を、表示部を有する携帯通信端末を介して提供するための遊技台情報提供システムに用いられ、前記携帯通信端末と通信回線を通して通信可能に設けられたリダイレクト装置であって、
前記遊技台情報の表示情報である遊技台表示情報のインターネット上の位置を接続先として特定するための位置情報である表示情報位置情報を、当該遊技台位置情報に対応する遊技台種別の遊技台の台番号に対応付けて記憶する位置情報記憶部と、
前記台番号を含む接続要求の受信に応答して、前記位置情報記憶部に記憶された表示情報位置情報から、前記接続要求に含まれる台番号によって特定される遊技台の種別に応じた表示情報位置情報を選択する位置情報選択手段と、
前記位置情報選択手段により選択された表示情報位置情報を、前記携帯通信端末に送信する位置情報送信手段とを含む、リダイレクト装置。
【発明の詳細な説明】
【技術分野】
【０００１】
この発明は、表示部を有する携帯通信端末に、遊技店に設置される遊技台の遊技台情報を提供するための遊技台情報提供システムおよび遊技台情報提供方法、ならびにこれらに用いられるリダイレクト装置に関する。
【背景技術】
【０００２】
遊技店には、多くの種類の遊技台が設置されている。大当たり確率および賞玉数などのスペックや、リーチ演出・大当たり演出などの演出動作は、遊技台の種類毎に異なっている。初めて遊技する遊技台では、遊技者は、その遊技台にどういう大当たり図柄が用いられているのか、またどのようなリーチ演出が用意されているのかを知らないことが多い。そのため、遊技店に設置される遊技台には、遊技店が作成した遊技説明書（いわゆるＰＯＰ）が貼付されている。
【０００３】
前述の遊技説明書は、その遊技台の遊技台情報（スペックに関する情報および演出動作に関する情報など）が記載されている。しかし、遊技説明書は、遊技台における遊技の邪魔にならない部分にしか配置できず、その大きさに限度がある。そのため、遊技説明書に記載することができる遊技台情報の量は乏しい。
このため、遊技者に豊富な遊技台情報を提供するために、遊技者が所有する携帯電話機などの携帯通信端末を用いて、遊技台の遊技情報を提供する構成が提案されている。
【０００４】
たとえば、特許文献１では、非接触ＩＣが内蔵された携帯通信端末を用いて、遊技客に遊技台情報を提供する遊技台情報提供システムが開示されている。
遊技台に対応付けて設けられる台間機の本体前面には、前記の非接触ＩＣチップに対してデータの読み出し／書き込みを行うためのリーダライタが設けられている。この台間機には、遊技台情報を表示するための遊技台表示情報のＵＲＬ（たとえば遊技台情報を提供するメーカーサイトのＵＲＬ）が記憶されている。
【０００５】
そして、遊技客が、リーダライタに携帯通信端末を接近させる（かざす）ことにより、携帯通信端末の非接触ＩＣがリーダライタと無線通信して、携帯通信端末のブラウザが起動し、遊技台表示情報にＵＲＬ接続する。これにより、台間機に対応する遊技台の遊技台情報が、遊技客の所有する携帯通信端末の表示部に表示される。すなわち、遊技客は、自己の所有する携帯通信端末を、台間機の非接触通信用のリーダライタにかざすことにより、遊技台の前に着座しながら、その遊技台の遊技情報を閲覧することができる。
【先行技術文献】
【特許文献】
【０００６】
【特許文献１】特開２００８−２３７５８０号公報
【発明の概要】
【発明が解決しようとする課題】
【０００７】
このような遊技台情報提供システムでは、遊技店で遊技台の入替えがあった場合、その入替えの対象の遊技台に対応する台間機について、記憶部に記憶されている遊技台表示情報のＵＲＬ（表示情報位置情報）を、入替え後の遊技台に対応する遊技台表示情報のＵＲＬに書き換える必要がある。
しかしながら、遊技店に導入される複数の遊技台に対応する台間機の全てについて、遊技台表示情報のＵＲＬを書き換える必要がある。そのため、遊技台表示情報のＵＲＬの書換え作業を行う者の負担が大きい。
【０００８】
そこで、この発明の目的は、遊技台の入替え時における作業負担を低減することができる遊技台情報提供システムおよび遊技台情報提供方法、ならびにこれらに用いられるリダイレクト装置を提供することである。
【課題を解決するための手段】
【０００９】
請求項１記載の発明は、遊技店に設置される遊技台（１）に関する所定の情報であり、当該遊技台の種別ごとに異なる遊技台情報を、表示部（２６）を有する携帯通信端末（２；５１）を介して提供する遊技台情報提供システムであって、前記遊技台に１対１で対応付けて設けられ、対応する遊技台を特定するための特定情報が記録された記録部（３；５０）と、通信回線（６）を通して前記携帯通信端末と通信可能に設けられたリダイレクト装置（４）と、前記遊技台情報の表示情報である遊技台表示情報を記憶する遊技台表示情報記憶部（３４）を有し、通信回線を通して前記携帯通信端末と通信可能に設けられた情報提供制御装置（５）とを含み、前記記録部に記録された前記特定情報は、前記携帯通信端末の取得手段（２１；５２，５３）により取得可能な構成であり、前記携帯通信端末による前記特定情報の取得によって、当該携帯通信端末に対し、前記リダイレクト装置のインターネット上の位置を接続先として特定するための位置情報であるリダイレクト位置情報が与えられるようになっており、前記リダイレクト装置が、前記遊技台表示情報のインターネット上の位置を接続先として特定するための位置情報である表示情報位置情報を、当該遊技台位置情報に対応する遊技台種別の遊技台の特定情報に対応付けて記憶する位置情報記憶部（２８）と、前記リダイレクト位置情報を接続先とする、前記特定情報を含む第１の接続要求の受信に応答して、前記位置情報記憶部に記憶された表示情報位置情報から、前記第１の接続要求に含まれる特定情報によって特定される遊技台の種別に応じた表示情報位置情報を選択する位置情報選択手段（２９）と、前記位置情報選択手段により選択された表示情報位置情報を、前記携帯通信端末に送信する位置情報送信手段とを含み、前記情報提供制御装置が、前記位置情報送信手段から受信した前記表示情報位置情報を接続先とする第２の接続要求の受信に応答して、前記遊技台表示情報記憶部に記憶された前記遊技台表示情報のうち、当該表示情報位置情報により特定される遊技台表示情報を、前記携帯通信端末に送信する遊技台表示情報送信手段（３２）をさらに含む、遊技台情報提供システムである。
【００１０】
なお、括弧内の数字は、後述の実施形態における対応構成要素等を表す。以下、この項において同じ。
この構成によれば、リダイレクト装置には、表示情報位置情報が、特定情報と対応付けられた状態で記憶されている。携帯通信端末が記憶部から特定情報を取得することにより、携帯通信端末はリダイレクト装置に第１の接続要求を送信する。携帯通信端末からの第１の接続要求を受信すると、当該第１の接続要求に含まれる特定情報によって特定される遊技台の種別に応じた表示情報位置情報が選択され、選択された表示情報位置情報が携帯通信端末に送信される。この表示情報位置情報に、携帯通信端末が接続する。これにより、携帯通信端末の表示部に、記録部に１対１対応する遊技台の遊技台情報が表示される。
【００１１】
そして、リダイレクト装置に記憶されている表示情報位置情報を変更することにより、携帯通信端末の接続先を変更することができる。そのため、遊技台の入替えがあった場合には、リダイレクト装置に記憶されている表示情報位置情報を変更することにより、遊技台情報を変更することができる。これにより、遊技台の入替え時における作業負担を低減することができる。
【００１２】
なお、「遊技台情報」とは、その遊技台に関する機種情報、すなわち、基本データ（大当たり確率、確率変動確率、賞球数および平均出球数など）、大当たり図柄、遊技方法、予告演出およびリーチ演出などを含む趣旨である。
また、「リダイレクト装置」および／または「情報提供制御装置」として、サーバを用いることができるが、このサーバの他にも、マルチレイヤスイッチ、レイヤ７スイッチまたはレイヤ４スイッチを用いることができる。
【００１３】
請求項２記載の発明は、前記リダイレクト装置は、前記位置情報選択手段により選択された表示情報位置情報に、有効期限を含む付加情報を付加する付加情報付加手段（３０）をさらに含み、前記位置情報送信手段は、前記付加情報付加手段によって付加情報が付加された位置情報を含む前記第２の接続要求を送信するものであり、前記情報提供制御装置は、さらに、前記第２の接続要求に含まれる位置情報から前記付加情報を取り出す付加情報取出手段（３２）と、前記付加情報に含まれる有効期限内であるか否かを判別する有効期限判別手段（３３）とを含み、前記表示情報送信手段は、前記有効期限判別手段により有効期限内であると判別された場合のみ前記遊技台表示情報を送信する、請求項１記載の情報提供システムである。
【００１４】
携帯通信端末には、ブックマーク機能や履歴機能が備えられている。遊技台表示情報の位置情報に接続した後は、これらの機能を利用してその遊技台表示情報の位置情報に接続することが可能である。そのため、これらの機能を活用すれば、遊技店に出かけることなく、遊技店外から遊技台情報を閲覧することも可能である。
携帯通信端末を用いた遊技台情報の提供は、遊技店内にいる遊技客を対象としたサービスであり、遊技店外において遊技台情報を閲覧することは、遊技台情報の提供を予定していない者に対してサービスを提供する不正利用となり、好ましくない。
【００１５】
この構成によれば、リダイレクト装置では、選択される表示情報位置情報に、有効期限を含む付加情報が付加される。そして、この付加情報が付加された表示情報位置情報が、携帯通信端末の接続先とされる。これにより、携帯通信端末はこの付加情報付の表示情報位置情報に導かれて情報提供制御装置に接続される。
情報提供制御装置では、付加情報に含まれる有効期限内か否かが判別される。このため、携帯通信端末からの接続が、遊技店内からの接続なのか、遊技店外からの接続なのかを判別することができる。これにより、遊技店外からの不正利用を判別することができる。
【００１６】
そして、有効期限内である場合は、遊技台表示情報が携帯通信端末に送信され、携帯通信端末のブラウザ機能を用いることにより、携帯通信端末の所有者（遊技者）が、遊技している／遊技しようとしている遊技台の遊技台情報を閲覧することができる。
請求項３記載の発明は、前記遊技台表示情報送信手段は、前記有効期限判別手段により有効期限を過ぎていると判別された場合に、前記遊技台表示情報以外の表示情報を前記携帯通信端末に送信する、請求項２記載の遊技台情報提供システムである。
【００１７】
この構成によれば、有効期限を過ぎている場合は、遊技台表示情報以外の表示情報が送信される（たとえば、他のアドレスに転送される）。このため、有効期限を過ぎている場合に携帯通信端末のブラウザ機能を用いても、遊技台情報を閲覧することができない。したがって、遊技店外からの不正利用を防止することができる。これにより、不正利用を防止することができる。
【００１８】
この遊技台表示情報以外の表示情報として、店舗情報の表示情報や遊技台情報サイトのトップページの表示情報を例示することができる。
なお、「店舗情報」とは、遊技店の基本情報（営業時間、遊技店の住所および電話番号ならびに地図）、サービス内容および遊技店の写真などを含む趣旨である。
請求項４記載の発明は、前記付加情報手段が、暗号化された付加情報を前記表示情報位置情報に付加する手段（３０）を含む、請求項２または３に記載の遊技台情報提供システム。
【００１９】
この構成によれば、表示情報位置情報に、暗号化された付加情報が付加される。携帯通信端末の所有者が、携帯通信端末のブラウザ機能を用いて付加情報付の表示情報位置情報を読み出し、この付加情報を改変しようとしても、付加情報が暗号化されていると、上手く改変できない。これにより、付加情報の改変による不正利用を防止することができる。
請求項５記載のように、前記記録部が、前記特定情報を記憶する特定情報記憶部（１９）を有するリーダライタ（３）を含み、前記携帯通信端末の前記取得手段が、当該携帯通信端末に内蔵され、前記リーダライタと非接触通信を行う非接触ＩＣ（２１）を含んでいてもよい。
【００２０】
このリーダライタは、前記特定情報記憶部と、前記特定情報記憶部を収容するケーシング（１７）とを含むことが好ましい。この場合、リーダライタを配置する場所の自由度が大きくなる。また、自己給電型のリーダライタを採用することが好ましい。この場合、リーダライタを配置する場所の自由度がより一層広がる。
また、請求項６記載のように、前記記録部が２次元コード（５０）を含み、前記携帯通信端末の前記取得手段が、前記２次元コードを撮像する撮像手段（５２）と、前記撮像手段により撮像された画像を読み込む読込手段（５３）とを含んでいてもよい。
【００２１】
また、請求項７記載の発明は、遊技店に設置される遊技台（１）に関する所定の情報であり、当該遊技台の種別ごとに異なる遊技台情報を、表示部（２６）を有する携帯通信端末（２；５１）を介して提供する遊技台情報提供方法であって、前記遊技台に１対1で対応付けられた記録部（３；５０）に記録された、対応する遊技台を特定するための特定情報を、前記携帯通信端末が取得するステップ（Ｓ３１）と、前記特定情報を取得する前記携帯通信端末に対し、リダイレクト装置（４）のインターネット上の位置を接続先として特定するための位置情報であるリダイレクト位置情報を付与するステップ（Ｓ３１）と、前記リダイレクト位置情報を接続先とする、前記特定情報を含む第１の接続要求を前記リダイレクト装置に対して付与するステップ（Ｓ３５）と、第１の接続要求の受信に応答して、リダイレクト装置が、遊技台位置情報に対応する遊技台種別の遊技台の特定情報に対応付けた状態で位置情報記憶部（２８）に記憶された、当該特定情報によって特定される遊技台の種別に応じた前記遊技台表示情報のインターネット上の位置を接続先として特定するための位置情報である表示情報位置情報から、前記第１の接続要求に含まれる特定情報によって特定される遊技台の種別に応じた前記表示情報位置情報を選択するステップ（Ｓ５，Ｓ１２）と、選択した表示情報位置情報を、前記携帯通信端末に送信するステップ（Ｓ９）と、前記表示情報位置情報を接続先とする第２の接続要求を、情報提供制御装置に対して付与するステップ（Ｓ３７）と、第２の接続要求の受信に応答して、前記情報提供制御装置が、表示情報位置情報により特定される遊技台表示情報を、前記携帯通信端末に送信するステップ（Ｓ２７）とを含む、遊技台情報提供方法である。
【００２２】
この発明によれば、請求項１の発明に関連して述べた作用効果と同様の作用効果を奏する。
請求項８記載の発明は、遊技店に設置される遊技台（１）に関する所定の情報であり、当該遊技台の種別ごとに異なる遊技台情報を、表示部（２６）を有する携帯通信端末（２；５１）を介して提供するための遊技台情報提供システムに用いられ、前記携帯通信端末と通信回線（６）を通して通信可能に設けられたリダイレクト装置（４）であって、前記遊技台情報の表示情報である遊技台表示情報のインターネット上の位置を接続先として特定するための位置情報である表示情報位置情報を、当該遊技台位置情報に対応する遊技台種別の遊技台の特定情報に対応付けて記憶する位置情報記憶部（２８）と、前記特定情報を含む接続要求の受信に応答して、前記位置情報記憶部に記憶された表示情報位置情報から、前記接続要求に含まれる特定情報によって特定される遊技台の種別に応じた表示情報位置情報を選択する位置情報選択手段（２９）と、前記位置情報選択手段により選択された表示情報位置情報を、前記携帯通信端末に送信する位置情報送信手段（３２）とを含む、リダイレクト装置である。
【００２３】
この構成によれば、請求項１の発明に関連して述べた作用効果と同様の作用効果を奏する。
請求項９記載の発明は、遊技店に設置される遊技台（１０１）に関する所定の情報であり、当該遊技台の種別ごとに異なる遊技台情報を、表示部（１１４）を有する携帯通信端末（１１３）を介して提供する遊技台情報提供システムであって、前記遊技台に１対１で対応付けて設けられ、対応する遊技台を特定するための台番号が記録された記録部（１２５）と、通信回線（１５０）を通して前記携帯通信端末と通信可能に設けられたリダイレクト装置（１０３）と、前記遊技台情報の表示情報である遊技台表示情報を記憶する遊技台表示情報記憶部（１１６）を有し、通信回線（１５０）を通して前記携帯通信端末と通信可能に設けられた情報提供制御装置（１０４）とを含み、前記記録部に記録された前記台番号は、前記携帯通信端末の取得手段により取得可能な構成であり、前記携帯通信端末による前記台番号の取得によって、当該携帯通信端末に対し、前記リダイレクト装置のインターネット上の位置を接続先として特定するための位置情報であるリダイレクト位置情報が与えられるようになっており、前記リダイレクト装置が、前記遊技台表示情報のインターネット上の位置を接続先として特定するための位置情報である表示情報位置情報を、当該遊技台位置情報に対応する遊技台種別の遊技台の台番号に対応付けて記憶する位置情報記憶部（１１０）と、前記リダイレクト位置情報を接続先とする、前記台番号を含む第１の接続要求の受信に応答して、前記位置情報記憶部に記憶された表示情報位置情報から、前記第１の接続要求に含まれる台番号によって特定される遊技台の種別に応じた表示情報位置情報を選択する位置情報選択手段（１１１）と、前記位置情報選択手段により選択された表示情報位置情報を、前記携帯通信端末に送信する位置情報送信手段（１１１）とを含み、前記情報提供制御装置が、前記位置情報送信手段から受信した前記表示情報位置情報を接続先とする第２の接続要求の受信に応答して、前記遊技台表示情報記憶部に記憶された前記遊技台表示情報のうち、当該表示情報位置情報により特定される遊技台表示情報を、前記携帯通信端末に送信する遊技台表示情報送信手段（１１５）をさらに含む、遊技台情報提供システムである。
【００２４】
この構成によれば、リダイレクト装置には、表示情報位置情報が、台番号と対応付けられた状態で記憶されている。携帯通信端末が記憶部から台番号を取得することにより、携帯通信端末はリダイレクト装置に第１の接続要求を送信する。携帯通信端末からの第１の接続要求を受信すると、当該第１の接続要求に含まれる台番号によって特定される遊技台の種別に応じた表示情報位置情報が選択され、選択された表示情報位置情報が携帯通信端末に送信される。この表示情報位置情報に、携帯通信端末が接続する。これにより、携帯通信端末の表示部に、記録部に１対１対応する遊技台の遊技台情報が表示される。
【００２５】
そして、リダイレクト装置に記憶されている表示情報位置情報を変更することにより、携帯通信端末の接続先を変更することができる。そのため、遊技台の入替えがあった場合には、リダイレクト装置に記憶されている表示情報位置情報を変更することにより、遊技台情報を変更することができる。これにより、遊技台の入替え時における作業負担を低減することができる。
【００２６】
なお、「遊技台情報」とは、その遊技台に関する機種情報、すなわち、基本データ（大当たり確率、確率変動確率、賞球数および平均出球数など）、大当たり図柄、遊技方法、予告演出およびリーチ演出などを含む趣旨である。
請求項１０記載の発明は、前記第２の接続要求には、前記取得手段により台番号を取得した日付に関する取得日情報および当該台番号が含まれており、前記遊技台情報提供システムは、遊技台が前記遊技店に納入された日付である納入日を、当該遊技台の台番号と対応付けて記憶する納入日記憶部（１１０）と、前記第２の接続要求に含まれる取得日情報の日付と、前記納入日記憶部に記憶された、前記第２の接続要求に含まれる台番号に対応する遊技台の納入日との先後を判別する先後判別手段（１１１）と、前記先後判別手段により、前記取得日情報の日付が前記納入日よりも先であると判別された場合、前記遊技台表示情報送信手段は、前記遊技台表示情報を前記携帯通信端末に送信しない、請求項９記載の遊技台情報提供システムである。
【００２７】
携帯通信端末には、ブックマーク機能や履歴機能が備えられている。遊技台表示情報の位置情報に接続した後は、これらの機能を利用してその遊技台表示情報の位置情報に接続することが可能である。そのため、これらの機能を活用すれば、遊技店外から閲覧することができる。かかる閲覧は、当該位置情報に遊技台表示情報が位置している限り行うことができる。しかしながら、以前閲覧した遊技台情報を、遊技台の入替え後まで閲覧可能とするのは行き過ぎである。
【００２８】
この構成によれば、第２の接続要求に取得日情報が含まれる。そして、この取得日情報を用いて、台番号の取得日と遊技台の納入日との先後が判別される。そして、取得日が納入日よりも先である場合、遊技台表示情報は携帯通信端末に送信されない。これにより、遊技店外にいる者が、ブックマーク機能や履歴機能を利用して遊技台表示情報の位置情報に接続するのを制限することができる。
【００２９】
前記遊技台表示情報送信手段は、前記遊技台表示情報以外の表示情報（遊技台が入替え済みである旨を表示するための表示情報）を前記携帯通信端末に送信するものであってもよい。
この場合、請求項１１に記載のように、前記納入日記憶部および前記先後判別手段が、前記リダイレクト装置に設けられていてもよい。
【００３０】
請求項１２記載の発明は、前記記録部が、前記台番号を記憶する台番号記憶部を有するリーダライタ（１２５）を含み、前記携帯通信端末の前記取得手段が、当該携帯通信端末に内蔵され、前記リーダライタと非接触通信を行う非接触ＩＣ（１３５）を含む、請求項９〜１１のいずれか一項に記載の遊技台情報提供システムである。
このリーダライタは、遊技台に１対１に対応付けて設置される端末装置（１０２）（たとえば、遊技媒体を貸し出す遊技媒体貸出装置）に設けられていてもよい。この場合、リダイレクト装置に表示情報位置情報を、台番号ではなく、リーダライタの有する固有のリーダライタＩＤに対応付けられた状態で記憶させることも考えられる。
【００３１】
しかしながら、表示情報位置情報が、リーダライタＩＤに対応付けた状態で、位置情報記憶部に記憶される場合は、次に述べる問題がある。
台間機の本体部が故障して交換される場合はリーダライタも交換される。そのため、本体部の交換に伴って、位置情報記憶部を、交換後のリーダライタのリーダライタＩＤに書き換える必要がある。台間機の本体部は故障などが比較的多いので、リダイレクト装置の位置情報記憶部の内容を頻繁に書き換えなければならないおそれもある。
【００３２】
また、リーダライタＩＤは複雑な英数字の組み合わせからなり、遊技店内に実際に設置されている遊技台を見ても、リーダライタＩＤと、遊技台の種別との対応関係を確認することができない。そのため、リダイレクト装置の位置情報記憶部の書換えの際に、設定間違えが生じることも考えられる。
これに対し、この構成によれば、表示情報位置情報が、台番号ではなく、リーダライタの有する固有のリーダライタＩＤに対応付けた状態で、位置情報記憶部に記憶される。そして、端末装置は、常に、当該端末装置が設置される遊技店の店番号、および当該端末装置に対応する遊技台の台番号を保持している。したがって、端末装置の入替えの度に、遊技店の店員がリダイレクト装置の位置情報記憶部の内容を書き換える必要がない。
【００３３】
また、台番号は遊技店内における設置位置に対応して割り当てられているので、遊技店内に実際に設置されている遊技台を見れば、台番号と、遊技台の種別との対応関係を確認することができる。そのため、リダイレクト装置の位置情報記憶部の書換えの際に、設定間違えが生じにくい。
また、請求項１３に記載のように、前記記録部が２次元コードを含み、前記携帯通信端末の前記取得手段が、前記２次元コードを撮像する撮像手段と、前記撮像手段により撮像された画像を読み込む読込手段とを含んでいてもよい。
【００３４】
請求項１４記載の発明は、遊技店に設置される遊技台（１０１）に関する所定の情報であり、当該遊技台の種別ごとに異なる遊技台情報を、表示部を有する携帯通信端末（１１３）を介して提供する遊技台情報提供方法であって、前記遊技台に１対1で対応付けられた記録部（１２５）に記録された、対応する遊技台を特定するための台番号を、前記携帯通信端末が取得するステップと、前記台番号を取得する前記携帯通信端末に対し、リダイレクト装置（１０３）のインターネット上の位置を接続先として特定するための位置情報であるリダイレクト位置情報を付与するステップと、前記リダイレクト位置情報を接続先とする、前記台番号を含む第１の接続要求を前記リダイレクト装置に対して付与するステップと、第１の接続要求の受信に応答して、リダイレクト装置が、遊技台位置情報に対応する遊技台種別の遊技台の台番号に対応付けた状態で位置情報記憶部に記憶された、当該台番号によって特定される遊技台の種別に応じた前記遊技台表示情報のインターネット上の位置を接続先として特定するための位置情報である表示情報位置情報から、前記第１の接続要求に含まれる台番号によって特定される遊技台の種別に応じた前記表示情報位置情報を選択するステップと、選択した表示情報位置情報を、前記携帯通信端末に送信するステップと、前記表示情報位置情報を接続先とする第２の接続要求を、情報提供制御装置（１０４）に対して付与するステップと、第２の接続要求の受信に応答して、前記情報提供制御装置が、表示情報位置情報により特定される遊技台表示情報を、前記携帯通信端末に送信するステップとを含む、遊技台情報提供方法である。
【００３５】
この発明の方法によれば、請求項９の発明に関連して述べた作用効果と同様の作用効果を奏する。
請求項１５記載の発明は、遊技店に設置される遊技台（１０１）に関する所定の情報であり、当該遊技台の種別ごとに異なる遊技台情報を、表示部（１１４）を有する携帯通信端末（１１３）を介して提供するための遊技台情報提供システムに用いられ、前記携帯通信端末と通信回線（１５０）を通して通信可能に設けられたリダイレクト装置（１０３）であって、前記遊技台情報の表示情報である遊技台表示情報のインターネット上の位置を接続先として特定するための位置情報である表示情報位置情報を、当該遊技台位置情報に対応する遊技台種別の遊技台の台番号に対応付けて記憶する位置情報記憶部（１１０）と、前記台番号を含む接続要求の受信に応答して、前記位置情報記憶部に記憶された表示情報位置情報から、前記接続要求に含まれる台番号によって特定される遊技台の種別に応じた表示情報位置情報を選択する位置情報選択手段（１１１）と、前記位置情報選択手段により選択された表示情報位置情報を、前記携帯通信端末に送信する位置情報送信手段（１１１）とを含む、リダイレクト装置である。
【００３６】
この構成によれば、請求項９の発明に関連して述べた作用効果と同様の作用効果を奏する。
【図面の簡単な説明】
【００３７】
【図１】本発明の第１実施形態に係る遊技台情報提供システムの構成を示すブロック図である。
【図２】図１に示すリーダライタの配置構成を説明するための正面図である。
【図３】図１に示すリーダライタの斜視図である。
【図４】図１に示すリーダライタの電気的構成を示すブロック図である。
【図５】図１に示す携帯電話機の構成を示すブロック図である。
【図６】図１に示すリダイレクトサーバの構成を示すブロック図である。
【図７】図１に示すウェブサーバの構成を示すブロック図である。
【図８】図１に示す遊技台情報提供システムにおける信号授受の流れを示すシーケンス図である。
【図９】図１に示す携帯電話機の表示部に順に表示される画面の具体例を示す図である。
【図１０】図１に示すリダイレクトサーバにより作成される付加情報付ＵＲＬを説明するための図である。
【図１１】図１に示す携帯電話機の表示部に順に表示される画面の具体例を示す図である。
【図１２】図６に示すリダイレクトサーバの主制御部における制御を示すフローチャートである。
【図１３】図７に示すウェブサーバの主制御部における制御を示すフローチャートである。
【図１４】図５に示す携帯電話機の主制御部における制御を示すフローチャートである。
【図１５】本発明の第２実施形態に係る遊技台情報提供システムの構成を示すブロック図である。
【図１６】本発明の第３実施形態に係る遊技台情報提供システムに採用されるリーダライタの構成を示す断面図である。
【図１７】本発明の第４実施形態に係る遊技台情報提供システムの構成を示すブロック図である。
【図１８】本発明の第５実施形態に係る遊技台情報提供システムの構成を示すブロック図である。
【図１９】図１８に示すリダイレクトサーバのリダイレクト記憶部に記憶される台番号−機種情報−位置情報対応データベースの内容を表わす図である。
【図２０】図１８に示す台間機および遊技台の配置構成を説明するための正面図である。
【図２１】図１８に示す台間機の電気的構成を示すブロック図である。
【図２２】図１８に示す携帯電話機の電気的構成を示すブロック図である。
【図２３】図１８に示す携帯電話機が受信するＵＲＬを説明するための図である。
【図２４】図１８に示す遊技台情報提供システムにおける信号授受の流れを示すシーケンス図である。
【図２５】図１８に示す携帯電話機の表示部に表示される画面の具体例を示す図である。
【図２６】遊技台の入替え後におけるリダイレクト装置の台番号−機種情報−位置情報対応データベースの内容を示す図である。
【図２７】ブックマーク機能を利用してウェブサーバに接続したときの信号授受の流れを示すシーケンス図である。
【図２８】第２の管理装置に保持される台番号−機種情報対応データベースの内容を表わす図である。
【発明を実施するための形態】
【００３８】
以下では、この発明の実施の形態を、添付図面を参照して詳細に説明する。
図１は、本発明の一実施形態（第１実施形態）に係る遊技台情報提供システムの構成を示すブロック図である。
この遊技台情報提供システムは、遊技店に設置された遊技台１（たとえば、パチンコ機やパチスロ機）で遊技をしている者または遊技をしようとしている者（以下、遊技者という）が、自身の所有する携帯通信端末の一例としての携帯電話機２を用いて、当該遊技台１の遊技台情報の提供を受けるようにしたシステムであり、遊技台１に関連して配置されたリーダライタ３と、システム管理会社に設置されたリダイレクトサーバ（リダイレクト装置）４と、ウェブ管理会社に設置されたウェブサーバ（情報提供制御装置）５とを含む。リダイレクトサーバ４と携帯電話機２とは、インターネット回線（通信回線）６を通じて接続可能に設けられている。また、ウェブサーバ５と携帯電話機２とは、インターネット回線６を通じて接続可能に設けられている。
【００３９】
遊技店内には、複数の遊技台１が配置されている。各遊技台１には、一対一に対応付けられた台間機７が隣接して配置されている。台間機７は、対応する遊技台１における遊技に使用する遊技媒体（たとえば、パチンコ球やパチスロメダル）を貸し出すための装置である。各台間機７は、遊技媒体の貸出しに関するデータを中継装置８を介して、遊技店内に設置された管理装置９に送信する。
【００４０】
各遊技台１には、携帯電話機２と非接触通信を行うためのリーダライタ３が、一対一に対応付けて設けられている。
図２は、リーダライタ３の配置構成を説明するための正面図である。
遊技台１は、たとえば、遊技盤１０に向けて遊技球を発射することにより遊技を行うパチンコ機であって、その前面には、発射装置（図示せず）から遊技盤１０に向けて発射する遊技球の勢いを調節するためのハンドル１１と、発射装置から遊技盤１０に向けて発射すべき遊技球を貯留しておくための上皿１２と、上皿１２から溢れた遊技球を貯留しておくための下皿１３とが備えられている。
【００４１】
台間機７は、遊技台１の左隣に配置され、対応する遊技台１における遊技に使用する遊技媒体（たとえば、パチンコ球）を貸し出すための装置である。台間機７の前面には、紙幣投入口１４などが配置されている。
遊技台１の上方には、島設備の幕板１５が張り出している。幕板１５の前面には、遊技台１の稼動状況を表示するためのデータ表示装置１６が配置されている。そして、リーダライタ３が、データ表示装置１６の右隣に配置されている。このため、遊技台１の前に着座しながら、携帯電話機２をリーダライタ３にかざすことができ、これにより携帯電話機２とリーダライタ３とを非接触（無線）通信させることができる。
【００４２】
図３は、リーダライタ３の斜視図である。図４は、リーダライタ３の電気的構成を示すブロック図である。
リーダライタ３は、非接触ＩＣ（たとえばＦｅｌｉＣａ（登録商標））に対応するものであり、四角箱状の小型のケーシング１７を備えている。ケーシング１７内には、主制御部１８と、記憶部（特定情報記憶部）１９およびアンテナ部２０が収容されている。主制御部１８はたとえはマイクロコンピュータなどで構成されており、この主制御部１８には外付けのカウンタ（図示しない）が接続されている。
【００４３】
アンテナ部２０は、携帯電話機２のＩＣチップ２１（後述する）と、携帯電話機２の主制御部２２（後述する）との間で三者間通信を行うものであり、ＩＣチップ２１との間の通信により、携帯電話機２のＩＣチップ２１のＩＤｍ（チップ製造番号）を取得することができる。ＩＤｍは、ＩＣチップ２１ごとに異なるもの（固有の番号）であり、かざされた携帯電話機２が同一のものであるか否かを判定することに用いられる。
【００４４】
記憶部１９には、リダイレクトサーバ４のＵＲＬ（Uniform Resource Locator。位置情報）であるリダイレクトＵＲＬ（リダイレクト位置情報）、リーダライタ３に対応する遊技台１が設置される遊技店の店番号、当該遊技台１の台番号およびリーダライタ３に付与された固有の番号であるリーダライタ番号が記憶されている。また、記憶部１９には、アンテナ部２０によって取得されたＩＣチップ２１のＩＤｍが記憶される。
【００４５】
また、リーダライタ３の主制御部１８には、カウンタ（図示しない）が接続されている。このカウンタは、「０００１」から「９９９９」まで計数可能であり、携帯電話機２がリーダライタ３との間で通信を行う度に、言い換えれば携帯電話機がリーダライタ３にかざされる度に、インクリメント（＋１）される。このカウンタのカウント値が、回数情報として、ＩＣチップ２１を介してリダイレクトサーバ４およびウェブサーバ５に与えられる。たとえば、遊技者が、携帯電話機２をリーダライタ３にかざした際のカウンタの値が「１２３４」である場合は、その「１２３４」が回数情報としてリダイレクトサーバ４およびウェブサーバ５に与えられる。そして、そのリーダライタ３に次に携帯電話機がかざされた場合は、同一の携帯電話機であるか否かにかかわり無く、カウンタによって「１２３５」という回数情報が生成され、その「１２３５」というカウント値が回数情報としてリダイレクトサーバ４およびウェブサーバ５に与えられる。電源がオフされた場合でも、カウンタ値は保持されており、ゼロクリアされることはない。
【００４６】
リーダライタ３は、電源回路（図示しない）に給電コード（図示しない）が接続された自己給電型のものであり、給電コードの先端部にはプラグ（図示しない）が設けられている。プラグが遊技店内のコンセントに差し込まれることにより、給電コードを介して、主制御部１８、記憶部１９およびアンテナ部２０に給電される。
図５は、携帯電話機２の構成を示すブロック図である。
【００４７】
携帯電話機２は、携帯電話機２全体の制御を司る主制御部２２と、非接触型のＩＣチップ２１（たとえばＦｅｌｉＣａ（登録商標）チップ）とを備えている。主制御部２２は、マイクロコンピュータなどによって構成される。主制御部２２は、三者間通信部２３とブラウザ２４とを備えている。主制御部２２は、三者間通信部２３を介して、リーダライタ３およびＩＣチップ２１との間で三者間通信を行うことができる。
【００４８】
ＩＣチップ２１は、制御部３７とインターフェイス部２５とを備えている。ＩＣチップ２１には、ＩＤｍ（チップ製造番号）が付されている。このＩＤｍはＩＣチップ２１に固有の番号であり、言い換えれば携帯電話機２に固有の番号である。制御部３７は、ＩＣチップ全体を制御する。また、インターフェイス部２５はリーダライタ３と非接触で通信する。また、制御部３７は、主制御部２２との間で通信を行う。このＩＣチップ２１は、三者間通信において、携帯電話機２の主制御部２２と、リーダライタ３との中継をする中継装置として機能する。
【００４９】
すなわち、ＩＣチップ２１は、インターフェイス部２５を介してリーダライタ３からの信号やデータを受信するとともに、これらの信号やデータを、携帯電話機２の主制御部２２の三者間通信部２３に対して送信することができる。送信する信号の一例として、リーダライタ３からＩＣチップ２１を介して主制御部２２に与えられるブラウザ起動指示を挙げることができる。ＩＣチップ２１を介してリーダライタ３からのブラウザ起動指示があると、ブラウザ２４は、ＩＣチップ２１により送信されるＵＲＬに基づいてブラウザを起動させる。そして、ブラウザ２４は、接続先のサーバから送られるページデータに基づいて、そのページデータに対応する情報を、携帯電話機２の表示部２６に表示する。
【００５０】
図６は、リダイレクトサーバ４の構成を示すブロック図である。リダイレクトサーバ４は、当該サーバ４全体の動きを制御する主制御部（位置情報送信手段）２７と、遊技台情報のＵＲＬ（表示情報位置情報）を記憶するＵＲＬ記憶部（位置情報記憶部）２８とを備えている。主制御部２７は、マイクロコンピュータなどによって構成されており、ＵＲＬ記憶部２８からＵＲＬを抽出（選択）するＵＲＬ抽出部（位置情報選択手段）２９と、ＵＲＬ抽出部２９から抽出したＵＲＬに基づいて、新たなＵＲＬ（付加情報付の表示情報位置情報）を作成するＵＲＬ作成部（付加情報付加手段）３０とを備えている。また、主制御部２７は、基準となる回数情報（以下、「基準回数情報」という。）を記憶するための基準回数情報保持部（図示しない）を有する。また、主制御部２７は、インターフェイス部３１を介して、インターネット回線６に接続する。
【００５１】
ＵＲＬ記憶部２８には、遊技店を特定する店番号と、当該店番号に対応する店舗情報ＵＲＬとの対応関係を表す店番号−店舗情報ＵＲＬ対応テーブルが記憶されている。店番号−店舗情報ＵＲＬ対応テーブルには、店番号と、この店番号に対応する店舗情報ＵＲＬとが書き込まれている。また、ＵＲＬ記憶部２８には、各遊技店における台番号と、当該台番号に設置される遊技台１に対応する遊技台情報ＵＲＬ（表示情報位置情報）との対応関係を表す台番号−遊技台情報ＵＲＬ対応テーブルが記憶されている。台番号−遊技台情報ＵＲＬ対応テーブルには、台番号と、この台番号に対応する遊技台情報ＵＲＬとが書き込まれている。
【００５２】
図７は、ウェブサーバ５の構成を示すブロック図である。ウェブサーバ５は、当該サーバ全体の動きを司る主制御部（付加情報取出手段、遊技台表示情報送信手段）３２を備えている。主制御部３２は、ページデータ生成部（有効期限判別手段）３３を備えている。主制御部３２には、遊技台情報の表示情報（以下、「遊技台表示情報」という。文書・ファイルなど）を記憶する遊技台情報記憶部（遊技台表示情報記憶部）３４と、店舗情報の表示情報を記憶する店舗情報記憶部３５とが接続されている。
【００５３】
ページデータ生成部３３は、遊技台情報記憶部３４に記憶された遊技台情報用のファイルや文書などのデータ（遊技台表示情報）に基づいて遊技台情報表示用のページデータ（遊技台表示情報）を生成する。また、店舗情報記憶部３５に記憶された店舗情報用のファイルや文書などのデータ（表示情報）に基づいて店舗情報表示用のページデータ（表示情報）を生成する。
【００５４】
さらに、主制御部３２は、インターフェイス部３６を介して、インターネット回線６に接続する。
図８は、遊技台情報提供システムにおける信号授受の流れを示すシーケンス図である。図９は、図１に示す携帯電話機２の表示部２６に順に表示される画面の具体例を示す図である。
【００５５】
遊技者が、自己が所有する携帯電話機２を、その遊技している／遊技しようとしている遊技台１に対応付けられたリーダライタ３にかざすと（１．かざす）、携帯電話機２のＩＣチップ２１の制御部３７、携帯電話機２の主制御部２２およびリーダライタ３の制御部１８の間で三者間通信が行われる。この三者間通信により、リーダライタ３の主制御部３２は、携帯電話機２のＩＣチップ２１のＩＤｍを取得する。また、リーダライタ３のカウンタがインクリメント（＋１）される。
【００５６】
そして、リーダライタ３は、リダイレクトサーバ４への接続指示を、携帯電話機２のＩＣチップ２１に与える（２．接続指示）。また、携帯電話機２リーダライタ３は、記憶部１９に記憶されたリダイレクトサーバ４のＵＲＬ、店番号、台番号（特定情報）およびリーダライタ番号、カウンタ（図示しない）に計数された回数情報、ならびに携帯電話機２のＩＣチップ２１から取得したＩＤｍに基づいて、リダイレクトＵＲＬを作成する。また、このリダイレクトＵＲＬに対する接続指示を、携帯電話機２の主制御部２２に向けて送信する（２．接続指示）。このリダイレクトＵＲＬは、リダイレクトサーバ４のＵＲＬの後に、付加的なコード情報（以下、「付加情報」という場合がある）を付加したものである。このコード情報は、店番号、台番号、リーダライタ番号、ＩＤｍおよび回数情報などの情報を含むものである。
【００５７】
携帯電話機２の主制御部２２が接続指示を受信すると、携帯電話機２の表示部２６が、それまでの待受画面（図９（ａ）参照）から、リダイレクトＵＲＬ表示および接続許可表示（「・・・に接続しますか？」「はい」「いいえ」）に切り換えられる（図９（ｂ）参照）。また、携帯電話機２の主制御部２２による接続指示の受信に伴って、前記の三者間通信は終了する。
【００５８】
そして、携帯電話機２の操作によって、リダイレクトサーバ４への接続が許可されると、携帯電話機２の主制御部２２は、リダイレクトＵＲＬへの接続を開始する。具体的には、携帯電話機２の主制御部２２は、リダイレクトサーバ４に向けて接続要求（第１の接続要求）を送信する（３．接続要求）。また、携帯電話機２の主制御部２２のブラウザ２４がブラウザを起動する。
【００５９】
携帯電話機２からの接続要求を受信したリダイレクトサーバ４の主制御部２７は、リダイレクトＵＲＬに付加されたコード情報に基づいて、携帯電話機１１３の所有者が遊技している／遊技しようとしている遊技台１の台番号を読み出し、ＵＲＬ記憶部２８に格納されている台番号−遊技台情報ＵＲＬ対応テーブルを参照し、そのリーダライタ３に１対１対応する遊技台１に対応する遊技台情報サイト（遊技台表示情報）のＵＲＬ（遊技台情報ＵＲＬ（表示情報位置情報））を抽出するとともに、この遊技台情報ＵＲＬに付加情報を付加して、付加情報付ＵＲＬ（付加情報付の表示情報位置情報）を作成する。
【００６０】
図１０は、リダイレクトサーバ４により作成される付加情報付ＵＲＬ４０を説明するための図である。付加情報付ＵＲＬ４０は、遊技台情報ＵＲＬに、付加情報が付加されて作成される。付加情報は、たとえば店番号、リーダライタ番号、ＩＤｍおよび回数情報を含んでいる。これらの付加情報は、たとえばａｅｓ暗号によって暗号化されている。
再び図８を参照して、リダイレクトサーバ４は、携帯電話機２の主制御部２２に付加情報付ＵＲＬ４０への接続指示を送信する（４．付加情報付ＵＲＬへの接続指示）。接続指示を受けた携帯電話機２の主制御部２２は、付加情報付ＵＲＬ４０に接続を開始し、ウェブサーバ５に接続要求（第２の接続要求）が送信される（５．接続要求）。
【００６１】
そのときの時刻が、付加情報付ＵＲＬに含まれる有効期限内であるときは、ウェブサーバ５は、携帯電話機２に遊技台情報表示用のページデータを送信する（６．ページデータ）。そして、携帯電話機２のブラウザ２４が、表示部２６に遊技台情報を表示する（図９（ｃ）参照）。図９（ｃ）に示す遊技台情報は、遊技台１の特徴、キャラクタ紹介、リーチ演出、予告演出およびスペック（大当たり確率、確率変動確率、賞球数および平均出球数などを含む）を備えている。この遊技台情報は、各情報のメニューが表示され、遊技者によって選択されるメニューの詳細情報が表示される。これらのメニューを選択操作することにより、各情報の詳細な情報が表示される。このため、遊技者は、遊技台１の前に着座しながら、その遊技台１の遊技情報を閲覧することができる。
【００６２】
一方、付加情報付ＵＲＬに含まれる有効期限を過ぎているときは、ウェブサーバ５は、携帯電話機２に店舗情報のページデータや遊技台情報トップページのページデータを送信する（ページデータ）。そして、携帯電話機２のブラウザ２４が店舗情報（図１１（ａ）参照）や遊技台情報トップページ（図１１（ｂ）参照）を表示部２６に表示する。
この場合、付加情報付ＵＲＬに含まれる有効期限を過ぎているので、携帯電話機２の所有者がその付加情報付ＵＲＬを入手してから２４時間経過していることになる。つまり、その携帯電話機２の所有者は、遊技店内ではなく、遊技店外にいることが想像される。すなわち、携帯電話機２からのこのような接続は、不正利用である。
【００６３】
図１１（ａ）に示す店舗情報は、遊技店の基本情報（店舗の住所および電話番号、地図ならびに遊技台の設置台数）などを含んでいる。また、図１１（ｂ）に示す遊技台情報サイトのトップページは、遊技台情報サイト（図９（ｃ）参照）よりも上位のサイトである。遊技台１の機種の入力により機種検索を行うことができる。この機種検索を行うことにより、遊技台情報に接続することが可能とされている。
【００６４】
図１２は、リダイレクトサーバ４の主制御部２７における制御を示すフローチャートである。図１３は、ウェブサーバ５の主制御部３２における制御を示すフローチャートである。図１４は、携帯電話機２の主制御部２２における制御を示すフローチャートである。図１２〜図１４を参照して、遊技台情報提供システムにおける流れを、さらに具体的に説明する。
【００６５】
図１２を参照して、リダイレクトサーバ４の主制御部２７は、携帯電話機２の主制御部２２から接続要求があるか否かを常に監視している（ステップＳ１）。携帯電話機２からの接続要求を受信すると、主制御部２７は、リダイレクトＵＲＬに付加された付加情報を解読し、店番号、台番号、リーダライタ番号、ＩＤｍおよび回数情報を取り出し（ステップＳ２）、リダイレクトＵＲＬから取り出した回数情報（以下、「今回回数情報」という。）が適正範囲内であるか否かを判断する（ステップＳ３）。
【００６６】
具体的には、リダイレクトサーバ４の主制御部２７は、リダイレクトＵＲＬから取り出した回数情報を、基準回数情報記憶部（図示しない）に保持されている基準回数情報と比較する。そして、今回回数情報がたとえば「１２３４」であり、基準回数情報が「１２２９」である場合など、今回回数情報が、基準回数情報のたとえば「−５」〜「＋５」の範囲内であれば、適正範囲内にあると判断する。
【００６７】
今回回数情報の値が適正範囲であり、かつ、今回回数情報の値が基準回数情報の値を超える場合は、リダイレクトサーバ４の主制御部２７は、今回回数情報を読み出した後、基準回数情報記憶部（図示しない）に保持されている基準回数情報の値を、今回回数情報の値に書き換える。すなわち、次回以降は、今回回数情報の値が基準回数情報になる。
今回回数情報の値が適正範囲であり、かつ、今回回数情報の値が基準回数情報の値以下である場合は、主制御部２７による基準回数情報記憶部（図示しない）の書換えは実行されない。すなわち、基準回数情報記憶部（図示しない）に保持された基準回数情報のまま、次回の回数情報の判定が行われる。
【００６８】
このように今回回数情報と基準回数情報とを比較することにより、あるリーダライタ３に携帯電話機が複数回かざされる場合、前回かざされてから今回かざされるまでのおよその時間がわかる。今回回数情報が基準回数情報の「＋５」よりも大きい場合（すなわち、基準回数情報の「＋６」以上である場合）は、経験則上、携帯電話機２がリーダライタ３に最初にかざされてから２時間程度経過していることが多い。
【００６９】
今回回数情報が適正範囲内である場合は（ステップＳ３でＹＥＳ）、主制御部２７のＵＲＬ抽出部２９は、リダイレクトサーバ４の主制御部２７のＵＲＬ記憶部２８を参照し（ステップＳ４）、店舗番号および台番号に基づいて、当該遊技者が遊技している／遊技しようとしている遊技台１の遊技台情報ＵＲＬを抽出する（ステップＳ５）。
また、主制御部２７は、その時点における時刻、すなわちその主制御部２７に接続されているタイマ（図示しない）の値に基づいて、有効期限を作成する。たとえばその時点よりも、丁度２４時間後の時間（秒単位）が有効期限とされる（ステップＳ６）。
【００７０】
そして、主制御部２７のＵＲＬ作成部３０は、有効期限、店番号、リーダライタ番号およびＩＤｍ（付加情報）を暗号化するとともに（ステップＳ７）、その暗号化した付加情報を、ＵＲＬ抽出部２９によって抽出された遊技台情報ＵＲＬの後に付加する。これにより、図８に示す付加情報付ＵＲＬが作成される（ステップＳ８）。そして、主制御部２７は、付加情報付ＵＲＬへの接続指示を、携帯電話機２の主制御部２２に向けて送信する（ステップＳ９）。なお、主制御部２７のＵＲＬ作成部３０は、各遊技店の有効期限の長さ（取得時間から有効期限までの長さ）を異ならせることもできる。
【００７１】
一方、携帯電話機２がリーダライタ３に前回かざされてから長時間が経過した場合やＵＲＬの改変などがある場合は、今回回数情報が適正範囲外になる（ステップＳ３でＮＯ）。このような不正利用がある場合、リダイレクトサーバ４は、遊技台情報ＵＲＬではなく店舗情報ＵＲＬを、接続先として指定する。そのため、今回回数情報が適正範囲外である場合（ステップＳ３でＮＯ）であり、かつ店舗情報ＵＲＬが設定されていると（ステップＳ１０でＹＥＳ）、主制御部２７のＵＲＬ抽出部２９は、ＵＲＬ記憶部２８を参照し（ステップＳ１１）、店舗番号に対応する遊技店の店舗情報ＵＲＬを抽出する（ステップＳ１２）。また、店舗情報ＵＲＬが設定されていない場合は（ステップＳ１０でＮＯ）、主制御部２７のＵＲＬ抽出部２９は、遊技台情報サイトにおけるトップページのＵＲＬを抽出する（ステップＳ１３）。
【００７２】
また、今回回数情報の値が適正範囲外である場合、リダイレクトサーバ４の主制御部２７による基準回数情報記憶部（図示しない）の書換えは実行されない。すなわち、基準回数情報記憶部（図示しない）に保持された基準回数情報のまま、次回の回数情報の判定が行われる。
そして、主制御部２７のＵＲＬ作成部３０は、店番号、リーダライタ番号およびＩＤｍを暗号化するとともに（ステップＳ７）、その暗号化した付加情報を、ＵＲＬ記憶部２８から抽出した店舗情報ＵＲＬまたは遊技台情報サイトにおけるトップページのＵＲＬの後に付加する（ステップＳ８）。そして、こうして作成されたＵＲＬへの接続指示を、主制御部２７が携帯電話機２に向けて送信する（ステップＳ９）。
【００７３】
図１３を参照して、ウェブサーバ５の主制御部３２は、携帯電話機２から接続要求があるか否かを常に監視している（ステップＳ２１）。携帯電話機２からの接続要求を受信すると（ステップＳ２１でＹＥＳ）、遊技台情報ＵＲＬに付加情報が付加されているか否かを確認し（ステップＳ２２）、付加情報が付加されている場合（ステップＳ２２でＹＥＳ）、付加情報を復号する（ステップＳ２３）。そして、復号された付加情報から、有効期限、店番号、リーダライタ番号およびＩＤｍを取り出す（ステップＳ２４）。
【００７４】
そして、ウェブサーバ５は、時刻取得手段により現在（その時点）の時刻を取得し、取得した時刻が、付加情報に含まれていた有効期限より前、つまり有効期限内であり、その有効期限内の接続である場合は（ステップＳ２５でＹＥＳ）、ページデータ生成部３３が遊技台情報用のファイルや文書（遊技台表示情報）に基づいてページデータ（遊技台表示情報）を生成する（ステップＳ２６）。ページデータ生成部３３によって生成されたページデータは、インターフェイス部３６を介して携帯電話機２に送信される（ステップＳ２７）。
【００７５】
一方、遊技台情報ＵＲＬに付加情報が付加されていない場合や（ステップＳ２２でＮＯ）、有効期限を過ぎた接続である場合は（ステップＳ２５でＮＯ）、ページデータ生成部３３は、店舗情報用のファイルや文書（表示情報）に基づいてページデータ（表示情報）を作成する。ページデータ生成部３３は、また、遊技台情報サイトのトップページのページデータを生成する（ステップＳ２８）。ページデータ生成部３３によって生成されたページデータは、インターフェイス部３６を介して携帯電話機２に送信される（ステップＳ２７）。
【００７６】
図１４を参照して、携帯電話機２の主制御部２２は、リーダライタ３からリダイレクトＵＲＬへの接続指示を受信すると（ステップＳ３１でＹＥＳ）、接続許可表示（図９（ｂ）参照）を表示部２６に表示する（ステップＳ３２）。そして、携帯電話機２の所有者（遊技者）が「はい」を選択し、接続が許可されると（ステップＳ３３でＹＥＳ）、ブラウザ２４が起動するとともに（ステップＳ３４）、主制御部３２がリダイレクトサーバ４に向けて接続要求を送信する（ステップＳ３５）。
【００７７】
一方、携帯電話機２の所有者（遊技者）が「いいえ」を選択すると（ステップＳ３３でＮＯ）、リダイレクトＵＲＬへの接続が中断されて、この処理は終了する。
リダイレクトサーバ４からの接続指示を受信すると（ステップＳ３６でＹＥＳ）、携帯電話機２の主制御部３２は、ウェブサーバ５に向けて接続要求を送信する（ステップＳ３７）。そして、ウェブサーバ５からページデータを受信すると、主制御部３２のブラウザ２４は、表示部２６にページデータに基づいて情報を表示する（ステップＳ３８）。
【００７８】
ところで、遊技台１の配置換えの際は、遊技店の店員は、遊技店内のコンピュータ（図示しない）からインターネット回線６を介してリダイレクトサーバ４に接続し、ＵＲＬ記憶部２８内に記憶された当該遊技店の台番号−遊技台情報ＵＲＬを読み出し、遊技台１の入れ替えのあった台番号に対応する遊技台情報ＵＲＬを、新しく配置された遊技台１の遊技台情報ＵＲＬに書き換える。
【００７９】
また、新機種の遊技台１の導入（いわゆる新台導入）の際は、システム管理会社の従業員が、リダイレクトサーバ４に接続された端末（図示しない）を操作して、当該新機種の遊技台１に対応する遊技台情報のＵＲＬを作成する。そして、遊技店の店員が、遊技店内のコンピュータ（図示しない）からインターネット回線６を介してリダイレクトサーバ４に接続し、ＵＲＬ記憶部２８内に記憶された当該遊技店の台番号−遊技台情報ＵＲＬを読み出し、新機種の遊技台１の台番号に対応する遊技台情報ＵＲＬを、前記システム管理会社の従業員が作成したＵＲＬに書き換える。
【００８０】
以上により、この実施形態によれば、リダイレクトサーバ４では、遊技者が遊技している／遊技しようとしている遊技台１の遊技台情報ＵＲＬが、ＵＲＬ記憶部２８から抽出される。そして、抽出された遊技台情報ＵＲＬに有効期限を含む付加情報が付加されて、付加情報付ＵＲＬが作成される。携帯電話機２はこの付加情報付ＵＲＬに導びかれてウェブサーバ５に接続される。
【００８１】
ウェブサーバ５では、付加情報に含まれる有効期限内か否かが判別される。そして、有効期限を過ぎている場合は、遊技台情報のデータ以外のデータ（遊技台情報のトップページのデータまたは店舗情報のデータ）が送信される。このため、有効期限を過ぎている場合は、携帯電話機２のブックマーク機能やＵＲＬ履歴機能などのブラウザ機能を用いても、遊技台情報に接続することができない。したがって、遊技店外からの不正利用を防止することができる。
【００８２】
また、遊技台情報ＵＲＬに、暗号化された付加情報が付加されているので、携帯電話機２の所有者（遊技者）が、携帯電話機２のブックマーク機能やＵＲＬ履歴機能を用いて付加情報付ＵＲＬを読み出し、この付加情報を改変しようとしても、付加情報が暗号化されていると、上手く改変できない。これにより、付加情報の改変による不正利用を防止することができる。
【００８３】
なお、本実施形態では、有効期限内であるか否かの有効期限判別手段の構成について、ＵＲＬに付加された付加情報の内容を判定するものを示したが、これに代えて、付加情報に格納された有効期限情報と、遊技店内のシステムからもたらされる有効期限延長情報との双方を確認することにより、有効期限であるか否かの判別（有効期限判定）を行うものであってもよい。具体的には、遊技媒体の貸出に用いる第２のリーダライタを設ける場合は、この第２のリーダライタへの携帯電話機２のアクセスを検出したことに基づいて、台間機７を管理するホール管理装置９が、読み取ったＩＤｍに対して有効期限延長信号をウェブサーバ５に対して送信するようにしてもよい。そして、ウェブサーバ５は、有効期限延長信号を受けた時点から所定時間を第２の有効期限として記憶し、付加情報からの有効期限と第２の有効期限とのうち、後ろのもの（遅い方）を採用して有効期限判定を行ってもよい。
【００８４】
図１５は、本発明の他の実施形態（第２実施形態）に係る遊技台情報提供システムの構成を示すブロック図である。この図１５において、前述の第１実施形態に示された各部に対応する部分には、図１〜図１４の場合と同一の参照符号を付して示し、説明を省略する。
この第２実施形態が、第１実施形態と相違するのは、各遊技台１に対応付けて、リーダライタ３ではなく、ＱＲコード（登録商標）などの格子状の２次元コード５０が設けられている点である。２次元コード５０は、横方向および縦方向の両方向に情報を有するコードであり、リダイレクトサーバ４のＵＲＬ、店番号、台番号およびリーダライタ番号を符号化したものである。この２次元コード５０は、携帯電話機のコード認識機能により、読み取られるようになっている。
【００８５】
また、第１および第２実施形態において、特定情報として台番号を用いるものを例に挙げて説明したが、これに代えて、前記のリーダライタ番号を特定情報として用いることもできる。この場合、ＵＲＬ記憶部２８には、リーダライタ３のリーダライタ番号と、このリーダライタ３に１対１対応する遊技台１の種別に対応する遊技台情報ＵＲＬ（表示情報位置情報）との対応関係を表すリーダライタ番号−遊技台情報ＵＲＬ対応テーブルが記憶される。
【００８６】
この第２実施形態に係る遊技台情報提供システムでは、たとえばＩＣチップ２１を備えていない携帯電話機５１に遊技台情報が提供される。
携帯電話機５１は、２次元コード５０を撮像することができる撮像部としてのイメージセンサ５２を備えている。このイメージセンサ５２として、たとえばＣＣＤやＣＭＯＳなどを例示することができる。また、携帯電話機５１の主制御部２２は、イメージセンサ５２に読み取られた画像データに基づいて、２次元コード５０に含まれる情報（リダイレクトサーバ４のＵＲＬ、店番号、台番号およびリーダライタ番号）を読み出すための２次元コード読出部５３とを備えている。
【００８７】
遊技者が、自己が所有する携帯電話機５１の２次元コード認識機能を用いて、遊技をしている／遊技をしようとしている遊技台１に対応付けられた２次元コード５０を撮像すると、イメージセンサ５２によって２次元コード５０が読み取られ、２次元コード読出部５３によって、２次元コード５０に含まれる情報（リダイレクトサーバ４のＵＲＬ、店番号、台番号およびリーダライタ番号）が読み出される。そして、携帯電話機５１の主制御部２２にリダイレクトサーバ４への接続指示が与えられる。
【００８８】
図１６は、本発明の第３実施形態に係る遊技台情報提供システムに採用されるリーダライタユニット６０の構成を示す断面図である。リーダライタユニット６０は、リーダライタ６１と、リーダライタ６１を収容するリーダライタ収容器６２とを備えている。この第３実施形態では、第１実施形態のリーダライタ３に代えて、リーダライタ６１が採用される。リーダライタユニット６０は、島設備の幕板１５のうち、遊技台１の上方に位置する部分に固定配置される。
【００８９】
リーダライタ６１は、四角薄板状のリーダライタ本体６３と、リーダライタ本体６３の一端面（図１６に示す上端面）に固定された突起６４とを備えている。突起６４には、リーダライタ６１を後述するケース体６９にねじ固定するためのねじ孔６５が形成されている。リーダライタ本体６３の他端面（図１６に示す下端面）には、給電用のコード６６の一端が、差込式のコネクタ６７を介して接続されている。給電用のコード６６の他端は遊技店内のコンセントに接続されており、このコンセントから供給される電力によってリーダライタ６１が駆動されるようになっておる。リーダライタ６１の一方主面は、非接触ＩＣを読み取るための読取面６８を構成している。
【００９０】
リーダライタ収容器６２は、リーダライタ６１を収容して下方から支持するケース体６９と、ケース体６９に収容されたリーダライタ６１の読取面６８の前方を覆うカバー７０と備えている。
ケース体６９は、リーダライタ６１の他方主面と接触して当該リーダライタ６１を支持する支持板７１と、支持板７１から突出して設けられた脚部７２とを備えて、樹脂材料を用いて一体に形成されている。支持板７１の一端部（図１６に示す上端部）には、ビス７７を挿通させるための第１挿通孔７９が形成されている。
【００９１】
脚部７２は、幕板１５の前面に接触するように取り付けられる（固定される）取付板７３と、この取付板７３と直交する方向に延び、支持板７１と取付板７３とを連結する複数枚（図１６では４枚）の脚板７４とを備えている。複数枚の脚板７４は、互いに間隔を隔てられている。各脚板７４には、給電用のコード６６を通過させるための通過孔７５が形成されている。支持板７１は、取付板７３に対して所定角度（たとえば３０°〜４５°。図１６では約４０°）傾斜している。
【００９２】
カバー７０の一端部（図１６に示す上端部）には、カバー７０をケース体６９に取り付けるための取付部材７６が設けられている。取付部材７６には、ビス７７を挿通させるための第２挿通孔７８が形成されている。
リーダライタ６１をケース体６９に収容し、リーダライタ６１の読取面６８をカバー７０で覆った状態で、ビス７７を、支持板７１の第１挿通孔７９およびカバー７０の第２挿通孔７８を挿通させてねじ孔６５にねじ締結することにより、リーダライタ６１およびカバー７０が、ケース体６９に固定される。これにより、リーダライタ６１、カバー７０およびケース体６９を、リーダライタユニット６０として一体として取り扱うことができる。この状態で、リーダライタ６１の読取面６８は支持板７１の表面（前面）とほぼ平行をなしており、支持板７１が取付板７３に対して傾斜している。すなわち、リーダライタ６１の読取面６８が支持板７１に対して傾斜している。
【００９３】
また、リーダライタ本体６３の他端面（図１６に示す下端面）に接続されたコード６６の他端は、各通過孔７５を通過して、リーダライタ収容器６２外に引き出されている。
リーダライタユニット６０の幕板１５への固定は、リーダライタ収容器６２の取付板７３を幕板１５の前面に接触させて、リーダライタユニット６０を、ビス（図示しない）などを用いて幕板１５にねじ固定することにより達成される。
【００９４】
幕板１５の前面は、鉛直面をなしている。そして、リーダライタ６１の読取面６８が支持板７１に対して傾斜している。そのため、リーダライタユニット６０の取付け状態では、リーダライタ６１の読取面６８が鉛直面に対して傾斜している。この実施形態では、読取面６８は前方に向かうに従って上る傾斜面である。そのため、遊技台１の前方に座る遊技客が、携帯電話機２を読取面６８にタッチさせ易い。
【００９５】
図１７は、本発明の第４実施形態に係る遊技台情報提供システムの構成を示すブロック図である。
この第４実施形態が第１〜第３実施形態と相違するのは、リダイレクト装置および情報提供制御装置として、図１７に示す制御用サーバ８５およびデータベース用サーバ８６を設けた点である。すなわち、この第４実施形態では、制御用サーバ８５およびデータベース用サーバ８６によってリダイレクト装置が構成されており、また、制御用サーバ８５およびデータベース用サーバ８６によって情報提供制御装置が構成されている。
【００９６】
制御用サーバ８５は、リダイレクト用制御領域８７とウェブ用制御領域８８とを備えている。リダイレクト用制御領域８７には、主制御部８９と、この主制御部８９に接続された通信部９０とが備えられている。主制御部８９は、通信部９０およびインターネット回線６を介して、携帯電話機２およびホール管理装置９と通信可能である。ウェブ用制御領域８８には、主制御部９８と、この主制御部９８に接続された通信部９９とが備えられている。主制御部９８は、通信部９９およびインターネット回線６を介して、携帯電話機２と通信可能である。
【００９７】
データベース用サーバ８６は、リダイレクト用記憶領域９１とウェブ用記憶領域９２とを備えている。リダイレクト用記憶領域９１には、リダイレクト用データベース９３が設けられている。リダイレクト用データベース９３には、前述の店番号−店舗情報ＵＲＬ対応テーブルや台番号−遊技台情報ＵＲＬ対応テーブルが記憶されている。
ウェブ用記憶領域９２には、複数種の遊技台情報の表示データ（遊技台表示情報）を記憶する遊技台情報用データベース９４と、複数種の店舗情報の表示データ（表示情報）を記憶する店舗情報用データベース９５とを備えている。
【００９８】
リダイレクト用制御領域８７およびリダイレクト用記憶領域９１によってリダイレクト装置が構成されている。また、ウェブ用制御領域８８およびウェブ用記憶領域９２によって情報提供制御装置が構成されている。
また、この第４実施形態において、データベース用サーバ８６を設けずに、制御用サーバ８５のみによってリダイレクト装置を構成してもよい。また、データベース用サーバ８６を設けずに、制御用サーバ８５のみによって情報提供制御装置を構成してもよい。
【００９９】
第１〜第４実施形態では、有効期限を過ぎていた場合は、遊技台情報ではなく店舗情報や遊技情報サイトのトップページに接続するものとして説明したが、有効期限中は接続料を無料とし、有効期限を過ぎていた場合に接続料を有料とすることもできる。
また、この第１〜第４実施形態において、携帯電話機２の表示部２６に表示される遊技台情報内において、所定の遊技コンテンツ（壁紙）を提供（ダウンロード）する場合を考える。このとき、複数種類の遊技コンテンツが遊技客に対して選択的に提供可能になっている。そして、どの種類の遊技コンテンツを提供するかが、付加情報（パラメータ）の内容に応じて変更されるようになっていてもよい。この場合、付加情報の内容、すなわち付加情報のデータ列を、所定の変換式に基づいて数値情報に変換し、この数値情報に基づいてどの種類の遊技コンテンツを提供するかが決定されるようになっていてもよい。
【０１００】
この場合は、遊技コンテンツを（ダウンロードなどにより）集めようとする遊技客が、この遊技台情報システムを利用するようになり、これにより、遊技台情報システムの利用数を増加させることができる。なお、遊技コンテンツとして、壁紙のほか、おみくじなどを提供することができる。しかも、付加情報に有効期限が含まれているので、遊技店外の者が、ブックマーク機能などを利用して遊技コンテンツを不正に取得（ダウンロード）するのを防止することができる。
【０１０１】
また、第１、第３または第４実施形態では、携帯電話機２をリーダライタ３，６１にかざす回数（すなわち、回数情報）に応じて接続先を変えることができる。具体的には、携帯電話機２をリーダライタ３，６１に最初にかざしたときは携帯電話機２に遊技台情報が提供され、２回目以降にかざしたときは、店舗情報や遊技台情報サイトのトップページが提供されるようにしてもよい。
【０１０２】
また、第１、第３または第４実施形態において、携帯電話機２のＩＤｍを利用した会員システムが採用されている場合、ウェブサーバ５は、携帯電話機２の所有者が会員であるか否かを判別することができる。具体的には、ウェブサーバ５には、会員情報が会員の所有する携帯電話機２のＩＣチップ２１のＩＤｍと対応付けた状態で記憶されており、ウェブサーバ５は、携帯電話機２から送信されるＩＤｍに基づいて、携帯電話機２の所有者が会員であるか否かを判別することができる。この場合、図１３のステップＳ１３において、有効期限内における接続でない場合であっても、ＩＤｍに基づいて携帯電話機２の所有者が会員であると判別すれば、遊技台情報のページデータを生成する（ステップＳ２６）ようにすることもできる。
【０１０３】
また、第１〜第４実施形態において、このようなＩＤｍを用いた会員システムが採用されている場合、遊技台情報に加えて会員情報を、携帯電話機２に表示することもできる。具体的には、ポイントシステムが採用されている場合は、遊技台情報に加えてポイント情報を表示することができる。
また、前述の第１実施形態では、リーダライタ３にはアンテナ部２０が内蔵されているとして説明したが、このアンテナ部２０に代えて、外付けのアンテナまたはブースタ用アンテナをリーダライタ３のケーシング１７から露出した状態で設けることもできる。とくに同一機種の遊技台１が複数台、互いに近接する範囲内に配置されている場合には、これら複数の遊技台１に対応するリーダライタ３を１つ（または少数）設けておき、このリーダライタ３に携帯電話機２をかざしたときはこれら遊技台１の機種に対応する遊技台情報に接続させることも可能である。この場合、外付けのアンテナをリーダライタ３のケーシング１７から複数分岐させることにより、各遊技台１に対応付けてアンテナを設けることができる。その結果、コストダウンを図りつつ、各遊技台１に対応してアンテナを配設することができる。１つのリーダライタ３から分岐させるアンテナの数を、２〜１０台とすることが好ましい。コストダウンの観点からはアンテナの数が多いことが望ましいのであるが、アンテナの数が１０台を超えると、アンテナへのアクセスの集中時にリーダライタ３における処理が困難となるおそれがあること、また、遊技台１の台入れ替えを行う際に１０台程度が１単位とされることが多いので、前記の範囲が好ましい。アンテナのみを露出させることにより、いたずら防止および盗難防止につながる。
【０１０４】
また、第１、第３または第４実施形態では、リーダライタ３，６１は、遊技店内のコンセントから電力を得るものとして説明したが、乾電池などのバッテリが内蔵されたバッテリ内蔵式の構成であってもよい。さらに、台間機７に敷設される、すなわち台間機７から電力が供給される構成であってもよい。
また、第２実施形態において、ＩＣチップ２１を備えていない携帯電話機５１を用いる場合について説明したが、携帯電話機５１がＩＣチップ２１を備えていてもよいのはもちろんのことである。
【０１０５】
また、第１〜第４実施形態では、リーダライタ３，６１または２次元コード５０は、遊技台１の上方の幕板１５に配置されているとして説明したが、腰板その他の遊技島に配置されていてもよい。また、データ表示装置１６に付設されていてもよい。
さらに、遊技台１の間に配置された台間機７の前面に配置されていてもよい。また、隣接する遊技台１の間にテレビや空気清浄機などが配置される場合には、その前面に配置される構成であってもよい。
【０１０６】
さらにまた、第１〜第４実施形態では、２台の遊技台１に１つのリーダライタ３，６１または２次元コード５０が対応付けられていてもよい。
なお、第１〜第４実施形態では、リダイレクトサーバ４を用いて、ウェブサーバ５に導くためのＵＲＬに有効期限を設ける構成を例に挙げて説明したが、有効期限を設定しない構成であってもよい。
【０１０７】
図１８は、本発明の第５実施形態に係る遊技台情報提供システムの構成を示すブロック図である。
第５実施形態に係る遊技台情報提供システムは、遊技台（たとえばパチンコ機やパチスロ機）１０１と、遊技店内に設置された台間機（端末装置）１０２と、遊技店外に設置されたリダイレクトサーバ１０３およびウェブサーバ１０４とを備えている。
【０１０８】
遊技店内には、複数台の遊技台１０１が設置されている。各遊技台１０１に１対１に対応付けて、台間機（端末装置）１０２が設置されている。遊技店内において、遊技台１０１および台間機１０２は、所定数単位で集約して配置されており、これら遊技台１０１および台間機１０２が１つの遊技島を構成している。遊技店内では、遊技台１０１の各設置位置に対応して台番号が割り当てられている。この台番号は、各遊技台１０１に対応する島設備（図示しない）に固有の番号である。すなわち、この台番号は、遊技台１０１を特定するための番号として用いることができ、また、遊技台１０１に１対１に対応して設けられる台間機１０２を特定するための番号として用いることができる。各台間機１０２は、対応する遊技台１０１と同じ台番号で識別される。図１８では、１０１番台、１０２番台、１０３番台という３台の遊技台１０１が一例として挙げられている。これら３台の遊技台１０１に対応する台間機１０２の台番号は、それぞれ１０１番、１０２番、１０３番である。
【０１０９】
台間機１０２として、以下では、対応する遊技台１０１における遊技に使用する遊技媒体を貸し出す遊技媒体貸出装置を例に挙げて説明するが、台間機１０２として、遊技台１０１から排出された遊技媒体の数を計数する遊技媒体計数装置を採用することもできるし、遊技媒体貸出機能と遊技媒体計数機能との双方を備えた端末装置を採用することもできる。
【０１１０】
遊技店内には、第１の管理装置１０５および第２の管理装置１０６が設置されている。第１の管理装置１０５および第２の管理装置１０６は、遊技店において、店員用の事務所等に配置されている。台間機１０２は、各遊技島に１台ずつ設けられた島コントローラ１０７を介して、第１の管理装置１０５と通信可能に接続されている。
第１の管理装置１０５は、遊技媒体の貸出しに関するデータや、遊技媒体の計数に関するデータを管理するためのものである。また、第２の管理装置１０６は、いわゆるホールコンピュータであり、遊技店の最上位に位置する装置であって、遊技店全体における遊技媒体の出入りなどのデータを主に管理するものである。第２の管理装置１０６は、遊技台１０１の台番号と、遊技台１０１の機種（遊技台種別）を識別するための機種情報との対応関係を表わす台番号−機種情報対応データベース１０８を保持している。
【０１１１】
また、遊技店には、店舗コンピュータ１１２が設置されている。店舗コンピュータ１１２は、第１の管理装置１０５や第２の管理装置１０６と同様、店員用の事務所等に配置されている。
リダイレクトサーバ（リダイレクト装置）１０３には、遊技台１０１の台番号と、遊技台１０１の機種を識別するための機種情報と、当該機種に対応する遊技台情報の表示情報である遊技台表示情報のインターネット上の位置を接続先として特定するためのＵＲＬ（（Uniform Resource Locator）表示情報位置情報）との対応関係を表わす台番号−機種情報−位置情報対応データベース１０９を記憶するリダイレクト記憶部（位置情報記憶部、納入日記憶部）１１０が設けられている。また、リダイレクトサーバ１０３には、リダイレクトサーバ１０３の制御を司るリダイレクト主制御部（位置情報選択手段、位置情報送信手段、先後判別手段）１１１が設けられている。
【０１１２】
また、ウェブサーバ（情報提供制御装置）１０４には、ウェブサーバ１０４の制御を司るウェブ主制御部１１５と、複数種の遊技台情報の表示データ（以下、「遊技台表示データ」という場合がある。遊技台表示情報）を記憶する遊技台表示データ記憶部（遊技台表示情報記憶部）１１６とが設けられている。
この遊技台情報提供システムは、遊技店に設置された所望の遊技台１０１（たとえば、パチンコ機やパチスロ機）に対応する台間機１０２で、遊技者が、携帯通信端末の一例としての携帯電話機１１３の表示部１１４を介して、その遊技台１０１の機種に応じた遊技台情報の提供を受けるようにしたシステムである。携帯電話機１１３として、非接触ＩＣを搭載し、この非接触ＩＣを介して非接触無線通信可能なタイプが用いられる。
【０１１３】
携帯電話機１１３は、リダイレクトサーバ１０３とインターネット回線（通信回線）１５０を通じて通信可能に設けられている。また、携帯電話機１１３は、ウェブサーバ１０４とインターネット回線１５０を通じて通信可能に設けられている。店舗コンピュータ１１２は、リダイレクトサーバ１０３とインターネット回線１５０を通じて通信可能に設けられている。さらに、リダイレクトサーバ１０３とウェブサーバ１０４とも、通信可能に設けられている。さらに第１の管理装置１０５も、リダイレクトサーバ１０３とインターネット回線１５０を通じて通信可能に設けられている。
【０１１４】
第１の管理装置１０５からリダイレクトサーバ１０３に対し、その遊技店に関する店内データ（店番号、遊技店内に設置された台間機１０２の台数、台番号の一覧など）が送信される。この店内データに基づいて、リダイレクトサーバ１０３に台番号−機種情報−位置情報対応データベース１０９が作成される。そして、遊技店の店員は、店舗コンピュータ１１２からインターネット回線１５０を介してリダイレクトサーバ１０３に接続し、台番号−機種情報−位置情報対応データベース１０９の内容を入力する。また、遊技台１０１の入替え時には、遊技店の店員は、遊技台１０１の入替え作業を行うとともに、店舗コンピュータ１１２からインターネット回線１５０を介してリダイレクトサーバ１０３に接続し、台番号−機種情報−位置情報対応データベース１０９の内容を書き換える。
【０１１５】
図１９は、リダイレクト記憶部１１０に記憶される台番号−機種情報−位置情報対応データベース１０９の内容を表わす図である。
図１９において、台番号−機種情報−位置情報対応データベース１０９は、遊技店単位で設けられている。リダイレクトサーバ１０３は、遊技台情報提供システムを採用する複数の遊技店に共通して使用されるものである。各遊技店には、遊技店番号（以下、「店番号」という場合もある。）が割り当てられている。そして、リダイレクト記憶部１１０には、これら複数の遊技店の台番号−機種情報−位置情報対応データベース１０９を備えている。
【０１１６】
たとえば、遊技店番号「００００１」は、「パーラーグローリー」という名称の遊技店に割り当てられている。「パーラーグローリー」という遊技店の台番号−機種情報−位置情報対応データベース１０９を図１９に示す。
この台番号−機種情報−位置情報対応データベース１０９では、遊技台１０１の台番号に対応して、遊技台１０１に設置された機種の機種情報と、当該機種に対応する遊技台表示データの（接続先の）ＵＲＬと、当該台番号で特定される遊技台１０１を入れ替えた入替日（遊技台１０１をその遊技店に納入した納入日）とが保持されている。この実施形態では、機種情報として、「ＣＲ×××」という機種の名称が記載されている。しかしながら、機種情報として、機種ＩＤを用いることもできる。
【０１１７】
この図１９では、説明の簡略のため、台番号「１０１」〜台番号「１１０」、台番号「１１１」〜台番号「１２０」、台番号「１２１」〜台番号「１３０」、および台番号「１３１」〜台番号「１４０」をそれぞれ一括りにして表示しているが、遊技台１台ごとに、機種情報、接続先のＵＲＬおよび入替日が記載されていてもよいのはもちろんのことである。
【０１１８】
図２０は、台間機１０２および遊技台１０１の配置構成を説明するための正面図である。図２０では、遊技台１０１が、遊技媒体として遊技玉を用いた遊技を行うパチンコ台である場合を例に挙げて説明する。
遊技台１０１の前面には、発射装置（図示せず）から遊技盤１１７に向けて発射する遊技玉の勢いを調節するためのハンドル１１８と、発射装置から遊技盤１１７に向けて発射すべき遊技玉を貯留しておくための上皿１１９と、上皿１１９で貯留しきれない遊技玉を受けるための下皿１２０とが設けられている。
【０１１９】
台間機１０２は、対応する遊技台１０１の左隣または右隣（図２０では、左隣）に配置されている。各台間機１０２は、隣り合う遊技台１０１間に挟まれた状態で配置されている。
台間機１０２は、本体部１２１と、本体部１２１の外郭を構成し、島設備に直接的に固定される枠（図示しない）とを備えている。
【０１２０】
台間機１０２の本体部１２１の前面には、状態表示部１２２、紙幣挿入部１２３、操作表示部１２４、非接触用ＩＣ用のリーダライタ部（以下、「非接触用Ｒ／Ｗ（Read／Write）部」という）１２５およびカード挿入／排出部１２６が、上からこの順で設けられている。
状態表示部１２２は、たとえば、所定の色やパターンで発光することによって、遊技玉の貸出動作が可能な状態か否かを表示する。たとえば貸出動作が可能であるときは状態表示部１２２が点灯状態になる。
【０１２１】
紙幣挿入部１２３は、遊技客の紙幣を受け付ける縦長のスリット状であり、本体部１２１内に設けられた紙幣識別部（図示しない）につながっている。紙幣挿入部１２３に挿入された紙幣の種別およびその真偽は、紙幣識別部（図示しない）によって識別される。
操作表示部１２４は、小型画面や、テンキー、ボタンなどを含んでいる。この操作表示部１２４の操作により、各台間機１０２に所定の情報を入力することができるようになっている。
【０１２２】
非接触用Ｒ／Ｗ部（リーダライタ）１２５は、携帯電話機１１３の後述するＩＣチップ１３５（非接触ＩＣ）と非接触通信可能に設けられている。携帯電話機１１３のＩＣチップ１３５を非接触用Ｒ／Ｗ部１２５にタッチ（接近）させることにより、非接触用Ｒ／Ｗ部１２５と携帯電話機１１３のＩＣチップ１３５との間で非接触無線通信を行うことができる。非接触用Ｒ／Ｗ部１２５としては、たとえばＦｅｌｉＣａ（登録商標）方式の非接触ＩＣと非接触通信可能なリーダライタを例示することができる。
【０１２３】
カード挿入／排出部１２６は、カードＩＤを含む所定の情報が記録された遊技カードを挿入または排出する縦長のスリット状のものである。この遊技カードは、遊技店内に設置されたカード販売機（図示しない）で購入することができる。また、台間機１０２内には数枚の遊技カードが予め装填されており、紙幣挿入部１２３に紙幣が挿入されることにより、その紙幣の価値に応じた種類の遊技カードを購入することができる。カード挿入／排出部１２６に挿入された遊技カードのカードＩＤは、台間機１０２に内蔵されたカードＲ／Ｗ部（図示しない）によって読み取られる。そして、遊技台１０１における遊技終了時にカード返却操作が行われると、カード挿入／排出部１２６から遊技カードが排出され、利用者に返却される。
【０１２４】
図２１は、台間機１０２の電気的構成を示すブロック図である。
各台間機１０２には、マイクロコンピュータ等で構成された台間機制御部１２７が備えられている。台間機制御部１２７は、状態表示部１２２、操作表示部１２４、非接触用Ｒ／Ｗ部１２５、島コン用通信Ｉ／Ｆ部１２８、台間機記憶部１２９、および遊技台Ｉ／Ｆ部１３０のそれぞれに対して電気的に接続されている。台間機記憶部１２９は、台間機１０２の操作に関する所定のデータを記憶する。
【０１２５】
島コン用通信Ｉ／Ｆ部１２８と島コントローラ１０７とは通信可能に接続されており、遊技台Ｉ／Ｆ部１３０と遊技台１０１（台間機１０２に対応する遊技台１０１）とは、通信可能に接続されている。
台間機制御部１２７は、遊技台Ｉ／Ｆ部１３０を介して、遊技台１０１に遊技玉の貸出しに関する信号を送信する。また、台間機制御部１２７は、遊技玉の貸出しに関する情報を、島コン用通信Ｉ／Ｆ部１２８を介して第１の管理装置１０５に送信する。
【０１２６】
非接触用Ｒ／Ｗ部１２５は、Ｒ／Ｗ制御部１３１と、Ｒ／Ｗ記憶部１３２と、非接触ＩＣ通信を行うためのアンテナ１３３と、回数情報を作成するための外付けのカウンタ１３４とを備えている。
Ｒ／Ｗ記憶部１３２には、リダイレクトサーバ１０３を接続先とするＵＲＬ（以下、「リダイレクトＵＲＬ（リダイレクト位置情報）」という。）、遊技店の店番号、および台間機１０２（または対応する遊技台１０１）の台番号が記憶されている。携帯電話機１１３の非接触型のＩＣチップ１３５が非接触用Ｒ／Ｗ部１２５にタッチ（接近）されると、Ｒ／Ｗ制御部１３１は、アンテナ１３３を介して、携帯電話機１１３のＩＣチップ１３５との間で非接触無線通信を行う。
【０１２７】
カウンタ１３４は、たとえば「０００１」から「９９９９」までカウント可能に設けられており、携帯電話機１１３のＩＣチップ１３５が非接触用Ｒ／Ｗ部１２５との間で無線通信を行う度に、Ｒ／Ｗ制御部１３１はカウンタ値をインクリメント（＋１）する。このカウンタ値は、台間機１０２の電源オフによってはゼロクリアされない。
台間機１０２の枠（図示しない）には、メモリ（図示しない）が配設されている。このメモリには、当該台間機１０２が設置されている遊技店の店番号と、当該台間機１０２に対応する遊技台１０１の台番号（当該台間機１０２の台番号）とが記憶されている。
【０１２８】
台間機１０２に対する店番号および台番号の設定は、第１の管理装置１０５によって行われる。すなわち、台間機１０２が島設備における設置位置に設置されると、第１の管理装置１０５から、遊技店の店番号と、当該設置位置に対応する遊技台１０１の台番号とが送信される。そして、その店番号および台番号が、枠に配設されたメモリ（図示しない）に記憶される。
【０１２９】
台間機１０２の本体部１２１は、故障などが比較的多い。本体部１２１が故障している場合、故障している本体部１２１のみを交換し、枠はそのままにしておく。そのため、本体部１２１の故障による交換によっては、メモリに記憶される台番号に変化はない。
また、仮に台間機１０２全体が故障し、メモリごと枠が島設備における設置位置から取り外された場合であっても、その後に当該設置位置に他の台間機１０２が設置される。そのとき、第１の管理装置１０５から、遊技店の店番号と、当該設置位置に対応する遊技台１０１の台番号とが送信され、その店番号および台番号が、枠に配設されたメモリ（図示しない）に記憶される。
【０１３０】
図２２は、図１８に示す携帯電話機１１３の電気的構成を示すブロック図である。
携帯電話機１１３は、携帯電話機１１３全体の制御を司る主制御部１３６と、ＦｅｌｉＣａ（登録商標）方式の非接触型のＩＣチップ１３５とを備えている。主制御部１３６は、三者間通信部１３７とブラウザ１３８とを備えており、マイクロコンピュータなどによって構成されている。また、主制御部１３６には表示部１１４が接続されている。ブラウザ１３８が起動された後は、このブラウザ１３８が、サーバからの表示データ（表示情報）に基づいて、その表示データに対応する表示を、携帯電話機１１３の表示部１１４に表示する。
【０１３１】
ＩＣチップ１３５は、ＩＣチップ制御部１４０とインターフェイス部１４１とを備えている。ＩＣチップ１３５には、当該ＩＣチップ１３５に固有の番号であるＩＤｍ（チップ製造番号）が付与されている。ＩＣチップ制御部１４０は、インターフェイス部１４１を介して非接触用Ｒ／Ｗ部１２５のＲ／Ｗ制御部１３１との間で無線通信を行うとともに、携帯電話機１１３の主制御部１３６との間で通信を行う。すなわち、携帯電話機１１３の三者間通信部１３７は、ＩＣチップ１３５のＩＣチップ制御部１４０と、非接触用Ｒ／Ｗ部１２５のＲ／Ｗ制御部１３１との間で無線通信（三者間通信）を行うことができる。ＩＣチップ１３５は、三者間通信において、携帯電話機１１３の主制御部１３６と、非接触用Ｒ／Ｗ部１２５のＲ／Ｗ制御部１３１との間の中継をする中継装置として機能する。
【０１３２】
つまり、携帯電話機１１３（のＩＣチップ１３５）を非接触用Ｒ／Ｗ部１２５にタッチさせることにより、携帯電話機１１３の主制御部１３６（三者間通信部１３７）と、ＩＣチップ１３５のＩＣチップ制御部１４０と、非接触用Ｒ／Ｗ部１２５のＲ／Ｗ制御部１３１との間で三者間通信が行われる。このとき、携帯電話機１１３の主制御部１３６にブラウザ起動指示が付与され、ブラウザ１３８が、非接触用Ｒ／Ｗ部１２５から受信するＵＲＬに基づいて起動する。
【０１３３】
図２３は、携帯電話機１１３が受信するＵＲＬを説明するための図である。
リダイレクトＵＲＬは、接続先のＩＰアドレスを指し示す固定部１４２と、固定部１４２の後に記された可変部（パラメータ）１４３とを有している。リダイレクトＵＲＬであるので、固定部１４２は、リダイレクトサーバ１０３のＩＰアドレスを指し示している。
可変部１４３には、店番号（たとえば「００００１」）、台番号（たとえば「１０１」）、当該携帯電話機１１３のＩＤｍ、携帯電話機１１３が非接触用Ｒ／Ｗ部１２５にタッチされたタッチ日（取得日）およびタッチ時刻、ならびに回数情報が保持されている。なお、可変部１４３は、各情報を暗号化した状態で保持している。
【０１３４】
また、ウェブサーバ１０４を接続先とするＵＲＬも、リダイレクトＵＲＬと同様、固定部１４２と可変部１４３とを有している。このとき、固定部１４２は、ウェブサーバ１０４のＩＰアドレスを指し示している。
図２４は、遊技台情報提供システムにおける信号授受の流れを示すシーケンス図である。図２５（ａ），（ｂ）は、携帯電話機１１３の表示部１１４に表示される画面の具体例を示す図である。
【０１３５】
遊技店に入店した遊技客は、遊技店内を移動しながら、遊技を行う遊技台１０１の候補を決める。そして、その候補の遊技台１０１に対応付けられた非接触用Ｒ／Ｗ部１２５に、自身の所有する携帯電話機１１３をタッチ（接近）させる。これにより、携帯電話機１１３の主制御部１３６（三者間通信部１３７）と、ＩＣチップ１３５のＩＣチップ制御部１４０と、非接触用Ｒ／Ｗ部１２５のＲ／Ｗ制御部１３１との間で三者間通信が行われる。
【０１３６】
非接触用Ｒ／Ｗ部１２５のＲ／Ｗ制御部１３１は、三者間通信の開始に伴って、カウンタ１３４の値をインクリメント（＋１）する。また、Ｒ／Ｗ制御部１３１は、タイマ（図示しない）により三者間通信が開始した日付および時刻（以下、それぞれ「タッチ日」および「タッチ時刻」という）を、Ｒ／Ｗ記憶部１３２に記憶する。さらに、三者間通信により、ＩＣチップ１３５のＩＣチップ制御部１４０から非接触用Ｒ／Ｗ部１２５のＲ／Ｗ制御部１３１に対して、ＩＣチップ１３５（携帯電話機１１３）のＩＤｍが付与される。Ｒ／Ｗ制御部１３１に付与されたＩＤｍは、Ｒ／Ｗ記憶部１３２に記憶される。
【０１３７】
さらにまた、この三者間通信により、非接触用Ｒ／Ｗ部１２５から携帯電話機１１３の主制御部１３６に対して、ブラウザ起動指示、リダイレクトＵＲＬ、ＩＤｍ、台番号および店番号、タッチ日およびタッチ時刻、ならびにカウンタ１３４によって生起された回数情報が付与される。
このＩＤｍ、台番号および店番号、タッチ日およびタッチ時刻ならびに回数情報は、図２３に示すようにＵＲＬの固定部１４２に可変部１４３として付加されて、携帯電話機１１３に付与される。このとき、リダイレクトサーバ１０３を接続先とするＵＲＬ（固定部１４２）を「Ａ」とする場合、「Ａ＋可変部１４３」で表わされるＵＲＬ（以下、『ＵＲＬ「Ａ＋可変部１４３」』とする。）が、携帯電話機１１３に付与される。そして、このＵＲＬとブラウザ起動指示とが携帯電話機１１３の主制御部１３６に付与される。主制御部１３６におけるＵＲＬおよびブラウザ起動指示の受信に応じて、三者間通信が終了する。
【０１３８】
携帯電話機１１３の主制御部１３６がブラウザ起動指示を受信すると、表示部１１４のドライバが制御されて、表示部１１４における表示がそれまでの待受画面から、接続許可表示（図２５（ａ）参照）に切り換えられる。携帯電話機１１３の操作により、リダイレクトサーバ１０３への接続が許可されると（図２５（ａ）に示す「はい」が選択操作されると）、主制御部１３６のブラウザ１３８が、非接触用Ｒ／Ｗ部１２５から受信するＵＲＬ「Ａ＋可変部１４３」に基づいて起動する。
【０１３９】
そして、携帯電話機１１３の主制御部１３６（ブラウザ１３８）は、リダイレクトＵＲＬに導かれて、リダイレクトサーバ１０３に、ＵＲＬ「Ａ＋可変部１４３」を含む第１の接続要求を送信する。これにより、携帯電話機１１３の主制御部１３６がリダイレクトサーバ１０３に接続される。
第１の接続要求を受信したリダイレクトサーバ１０３のリダイレクト主制御部１１１は、ＵＲＬ「Ａ＋可変部１４３」から、可変部１４３に含まれる台番号を読み出し、台番号−機種情報−位置情報対応データベース１０９を参照し、読み出した台番号に対応付けられた遊技台１０１の機種の名称と、この機種に対応する遊技台表示データの（遊技台表示データを接続先とする）ＵＲＬとを読み出す。そして、携帯電話機１１３に対し、ウェブサーバ１０４の遊技台表示データ記憶部１１６に記憶されている遊技台表示データのＵＲＬが返信される。このＵＲＬは可変部１４３を有しており、このＵＲＬの固定部１４２を「Ｂ」とする場合、「Ｂ＋可変部１４３」で表わされる（以下、このＵＲＬを、『ＵＲＬ「Ｂ＋可変部１４３」』とする。）。この可変部１４３は、図２３に示されたものと同様、店番号および台番号、ＩＤｍ、タッチ日およびタッチ時刻、ならびに回数情報を保持している。
【０１４０】
携帯電話機１１３の主制御部１３６（ブラウザ１３８）は、ＵＲＬの固定部１４２である「Ｂ」に導かれて、ウェブサーバ１０４に、ＵＲＬ（「Ｂ＋可変部１４３」）を含む第２の接続要求を送信する。
第２の接続要求を受信したウェブサーバ１０４のウェブ主制御部（遊技台表示情報送信手段）１１５は、可変部１４３に含まれる店番号、台番号およびタッチ日をリダイレクトサーバ１０３に通知する。かかる通知を受信したリダイレクトサーバ１０３のリダイレクト主制御部１１１は、台番号−機種情報−位置情報対応データベース１０９を参照して、第２の接続要求に含まれるタッチ日と、台番号に対応する遊技台１０１の入替日との先後を判別する。
【０１４１】
携帯電話機１１３を非接触用Ｒ／Ｗ部１２５にタッチさせた直後のウェブサーバ１０４への接続は、必ず、タッチ日が入替日よりも後であるか、または入替日と同日である。そのため、「ＯＫ（入替なし）」であるとして、ウェブサーバ１０４からリダイレクトサーバ１０３に許可信号が送信される。これにより、携帯電話機１１３の主制御部１３６がウェブサーバ１０４（遊技台表示情報のＵＲＬ）への接続が許容され、ウェブサーバ１０４から携帯電話機１１３の主制御部１３６に、遊技台情報の表示データが送信される。そして、携帯電話機１１３の主制御部１３６（ブラウザ１３８）は、表示部１１４に、遊技台情報（図２５（ｂ）参照）を表示する。
【０１４２】
ところで、携帯電話機１１３にブックマーク機能が備えられている場合は、遊技台表示データのＵＲＬに接続した後は、そのブックマーク機能を利用してその遊技台表示データのＵＲＬに接続することが可能である（ブックマーク取得）。
タッチ日から長期間が空いている場合は、台番号に対応する遊技台１０１が入れ替えられ、当該設置位置にタッチ時とは異なる遊技台１０１が設定されていることがある。そして、以前閲覧した遊技台情報を、遊技台１０１の入替え後まで閲覧可能とするのは行き過ぎである。
【０１４３】
図２６は、遊技台１０１の入替え後におけるリダイレクトサーバ１０３の台番号−機種情報−位置情報対応データベース１０９の内容を示す図である。図２７は、ブックマーク機能を利用してウェブサーバ１０４に接続したときの信号授受の流れを示すシーケンス図である。
具体的に、１０１番の台間機１０２の非接触用Ｒ／Ｗ部１２５を、携帯電話機１１３でタッチした場合を例に挙げて考える。たとえば、タッチ日の日付が２０１０年の１月８日であり、２０１０年の１月２０日に携帯電話機１１３のブックマーク機能を利用して、遊技台表示情報のＵＲＬに接続しようとしているとする。この場合、ブックマーク機能の操作により、携帯電話機１１３の主制御部１３６（ブラウザ１３８）は、ＵＲＬ「Ｂ」に導かれて、ウェブサーバ１０４に、第２の接続要求を送信する。
【０１４４】
第２の接続要求を受信したウェブサーバ１０４のウェブ主制御部１１５は、ウェブサーバ１０４は、可変部１４３に含まれる店番号および台番号ならびにタッチ日をリダイレクトサーバ１０３に通知する。かかる通知を受信したリダイレクトサーバ１０３は、台番号−機種情報−位置情報対応データベース１０９を参照して、第２の接続要求に含まれるタッチ日（たとえば、１月８日）が、台番号に対応する遊技台１０１の入替日よりも後または同日であるか、あるいは先であるかを判別する。
【０１４５】
遊技台１０１の入替日が図１９に示すように２０１０年の１月１日である場合、タッチ日が入替日よりも後であるので、「ＯＫ（入替なし）」であるとして、ウェブサーバ１０４からリダイレクトサーバ１０３に許可信号が送信される。これにより、携帯電話機１１３がウェブサーバ１０４（遊技台表示データのＵＲＬ）への接続が許容され、ウェブサーバ１０４から携帯電話機１１３の主制御部１３６に、遊技台情報の表示データが送信される。そして、携帯電話機１１３の表示部１１４に遊技台情報が表示される。
【０１４６】
一方、遊技台１０１の入替日が図２６に示すように２０１０年の１月１５日である場合、タッチ日が入替日よりも先であるので、「ＮＧ（入替済み）」であるとして、ウェブサーバ１０４からリダイレクトサーバ１０３にＮＧ信号が送信される。これにより、携帯電話機１１３がウェブサーバ１０４（遊技台表示データのＵＲＬ）への接続が拒否され、ウェブサーバ１０４から携帯電話機１１３の主制御部１３６に、ＮＧ表示用の表示データが送信される。そして、携帯電話機１１３の表示部１１４にＮＧ情報が表示される。これにより、携帯電話機１１３の主制御部１３６がウェブサーバ１０４（遊技台表示情報のＵＲＬ）に接続される。これにより、携帯電話機１１３の主制御部１３６がウェブサーバ１０４（遊技台表示情報のＵＲＬ）に接続される。これにより、遊技店外にいる者が、撤去された遊技台の遊技台表示データに、ブックマーク機能などを利用して接続するのを制限することができる。
【０１４７】
以上により、この実施形態によれば、リダイレクトサーバ１０３には、遊技台表示データのＵＲＬが、台番号と対応付けられた状態で記憶されている。携帯電話機１１３が非接触用Ｒ／Ｗ部１２５から台番号を取得することにより、携帯電話機１１３はリダイレクトサーバ１０３に第１の接続要求を送信する。携帯電話機１１３からの第１の接続要求を受信すると、当該第１の接続要求に含まれる台番号によって特定される遊技台１０１の種別に応じたＵＲＬが選択され、選択されたＵＲＬが携帯電話機１１３に送信される。このＵＲＬに導かれて携帯電話機１１３がＵＲＬ接続する。これにより、携帯電話機１１３の表示部に、非接触用Ｒ／Ｗ部１２５に１対１対応する遊技台１０１の遊技台情報が表示される。
【０１４８】
そして、リダイレクトサーバ１０３に記憶されている遊技台表示データのＵＲＬを変更することにより、携帯電話機１１３の接続先を変更することができる。そのため、遊技台１０１の入替えがあった場合には、リダイレクトサーバ１０３に記憶されている遊技台表示データのＵＲＬを変更することにより、遊技台情報を変更することができる。これにより、遊技台１０１の入替え時における作業負担を低減することができる。
【０１４９】
また、リダイレクトサーバ１０３に遊技台表示データのＵＲＬを、台番号ではなく、非接触用Ｒ／Ｗ部１２５の有する固有のリーダライタＩＤに対応付けられた状態で記憶させることも考えられる。
しかしながら、遊技台表示データのＵＲＬが、リーダライタＩＤに対応付けた状態で、台番号−機種情報−位置情報対応データベース１０９に記憶される場合は、次に述べる問題がある。
【０１５０】
台間機１０２の本体部１２１が故障して交換される場合は非接触用Ｒ／Ｗ部１２５も交換される。そのため、本体部１２１の交換に伴って、台番号−機種情報−位置情報対応データベース１０９を、交換後の非接触用Ｒ／Ｗ部１２５のリーダライタＩＤに書き換える必要がある。台間機１０２の本体部１２１は故障などが比較的多いので、リダイレクトサーバ１０３の台番号−機種情報−位置情報対応データベース１０９の内容を頻繁に書き換えなければならないおそれもある。
【０１５１】
また、リーダライタＩＤはたとえば複雑な英数字の組み合わせからなり、遊技店内に実際に設置されている遊技台１０１を見ても、リーダライタＩＤと、遊技台１０１の種別との対応関係を確認することができない。そのため、リダイレクトサーバ１０３の台番号−機種情報−位置情報対応データベース１０９の書換えの際に、遊技店の店員による設定間違えが生じることも考えられる。
【０１５２】
これに対し、この実施形態では、遊技台表示データのＵＲＬが、台番号ではなく、非接触用Ｒ／Ｗ部１２５の有する固有のリーダライタＩＤに対応付けた状態で、台番号−機種情報−位置情報対応データベース１０９に記憶される。そして、台間機１０２は、常に、当該台間機１０２が設置される遊技店の店番号、および当該台間機１０２に対応する遊技台１０１の台番号を保持している。したがって、台間機１０２の入替えの度に、遊技店の店員がリダイレクトサーバ１０３の台番号−機種情報−位置情報対応データベース１０９の内容を書き換える必要がない。
【０１５３】
また、台番号は遊技店内における設置位置に対応して割り当てられているので、遊技店内に実際に設置されている遊技台１０１を見れば、台番号と、遊技台１０１の種別との対応関係を確認することができる。そのため、リダイレクトサーバ１０３の台番号−機種情報−位置情報対応データベース１０９の書換えの際に、設定間違えが生じにくい。
図２８は、第２の管理装置１０６に保持される台番号−機種情報対応データベース１０８の内容を表わす図である。
【０１５４】
図２８において、台番号−機種情報対応データベース１０８は、遊技店単位で設けられている。「パーラーグローリー」という遊技店の台番号−機種情報対応データベース１０８を図２８に示す。
この台番号−機種情報対応データベース１０８では、遊技台１０１の台番号に対応して、遊技台１０１に設置された機種の機種情報と、当該台番号で特定される遊技台１０１を入れ替えた入替日（遊技台１０１をその遊技店に納入した納入日）とが保持されている。
【０１５５】
図１８に一点鎖線で示すように、第２の管理装置１０６がインターネット回線１５０（通信回線）を介して、リダイレクトサーバ１０３に通信可能に接続されている場合は、この台番号−機種情報対応データベース１０８に保持された台番号と、機種情報と、入替日との対応関係を、リダイレクトサーバ１０３に送信することができる。したがって、遊技店の店員は、リダイレクトサーバ１０３に送信された台番号と、機種情報と、入替日との対応関係を利用しながら、台番号−機種情報−位置情報対応データベース１０９を作成することができる。これにより、遊技店の店員は、台番号−機種情報−位置情報対応データベース１０９の作成を簡単に行うことができる。
【０１５６】
また、第５実施形態の遊技台情報提供システムにおいて、第２実施形態のように２次元コードを用いたシステムを採用することもできる。この場合、台間機１０２の本体部１２１の前面には、非接触用Ｒ／Ｗ部１２５に代えて、ＱＲコード（登録商標）などの格子状の２次元コードが設けられる。この２次元コードは横方向および縦方向の双方向に情報を有するコードであり、リダイレクトＵＲＬ、店番号および台番号などを符号化したものである。この２次元コードは、携帯電話機のコード認識機能により、読み取られるようになっている。
【０１５７】
また、第５実施形態において、遊技台１０１の入替日を、台番号−機種情報−位置情報対応データベース１０９とは別のデータベースにおいて、台番号に対応付けて設けられていてもよい。
また、第５実施形態において、第２の接続要求に含まれるタッチ日が、台番号に対応する遊技台１０１の入替日よりも先である場合に、入替え後の遊技台種別の遊技台表示情報に接続されるようにしてもよい。
【０１５８】
さらに、第５実施形態において、第２の接続要求に含まれるタッチ日と、台番号に対応する遊技台１０１の入替日との先後を判別しない構成であってもよい。この場合、データベースにおいて、遊技台１０１の入替日を、台番号に対応付けて設けなくてもよい。
さらにまた、台間機２として、遊技媒体を計数する計数装置を採用する場合、ＵＲＬに含まれる可変部１４３には、持玉データが含まれていてもよい。なお、「持玉データ」とは、遊技客が遊技により当日に取得した遊技媒体数のうちの一部または全部を、数値データの形で当該遊技客が所有するものである。
【０１５９】
その他、特許請求の範囲に記載された事項の範囲で種々の設計変更を施すことが可能である。
【符号の説明】
【０１６０】
１  遊技台
２  携帯電話機（携帯通信端末）
３  リーダライタ
４  リダイレクトサーバ（リダイレクト装置）
５  ウェブサーバ（情報提供制御装置）
６  インターネット回線（通信回線）
１７  ケーシング
１９  記憶部（特定情報記憶部）
２１  ＩＣチップ
２６  表示部
２７  主制御部（位置情報送信手段）
２８  ＵＲＬ記憶部（位置情報記憶部）
２９  ＵＲＬ抽出部（位置情報選択手段）
３０  ＵＲＬ作成部（付加情報付加手段、暗号化された付加情報を表示情報位置情報に付加する手段）
３２  主制御部（付加情報取出手段、遊技台表示情報送信手段）
３３  ページデータ生成部（有効期限判別手段）
３４  遊技台情報記憶部（遊技台表示情報記憶部）
５０  ２次元コード
５１  携帯電話機（携帯通信端末）
５２  ＣＣＤ（撮像手段）
５３  ２次元コード読出部（読込手段）
１０１  遊技台
１０２  台間機（端末装置）
１０３  リダイレクトサーバ（リダイレクト装置）
１０４  ウェブサーバ（情報提供制御装置）
１１０  リダイレクト記憶部（位置情報記憶部、納入日記憶部）
１１１  リダイレクト主制御部（位置情報選択手段、位置情報送信手段、先後判別手段）
１１３  携帯電話機（携帯通信端末）
１１４  表示部
１１５  ウェブ主制御部（遊技台表示情報送信手段）
１１６  遊技台情報データ記憶部（遊技台表示情報記憶部）
１２５  非接触用Ｒ／Ｗ部（リーダライタ）
１３５  ＩＣチップ（非接触ＩＣ）
１５０  インターネット回線（通信回線）
【図１】
2010274105.tif 000003
【図２】
2010274105.tif 000004
【図３】
2010274105.tif 000005
【図４】
2010274105.tif 000006
【図５】
2010274105.tif 000007
【図６】
2010274105.tif 000008
【図７】
2010274105.tif 000009
【図８】
2010274105.tif 000010
【図９】
2010274105.tif 000011
【図１０】
2010274105.tif 000012
【図１１】
2010274105.tif 000013
【図１２】
2010274105.tif 000014
【図１３】
2010274105.tif 000015
【図１４】
2010274105.tif 000016
【図１５】
2010274105.tif 000017
【図１６】
2010274105.tif 000018
【図１７】
2010274105.tif 000019
【図１８】
2010274105.tif 000020
【図１９】
2010274105.tif 000021
【図２０】
2010274105.tif 000022
【図２１】
2010274105.tif 000023
【図２２】
2010274105.tif 000024
【図２３】
2010274105.tif 000025
【図２４】
2010274105.tif 000026
【図２５】
2010274105.tif 000027
【図２６】
2010274105.tif 000028
【図２７】
2010274105.tif 000029
【図２８】
2010274105.tif 000030